(57)【要約】【課題】簡易な構成で、表示画面における輝度ムラを容易に精度良く抑制可能な画像表示装置を提供する。【解決手段】画像表示装置であって、複数の発光素子と、発光素子の両端に印加される電圧と該発光素子の発光輝度に係る値との関係を示す関係データを記憶する記憶部とを備える。また、該画像表示装置は、発光素子に基準電流が流れる際に該発光素子の両端に印加される電圧を検出する検出部と、関係データと検出部によって検出される電圧とに基づいて、各発光素子の予測発光輝度に係る値を導出する導出部とを備える。更に、該画像表示装置は、導出部によって導出される複数の予測発光輝度に係る値における最大値と最小値との差が縮まるように各発光素子に対して補正値を設定する設定部と、設定部によって各発光素子に対して設定される補正値に基づいて、各発光素子に対応する画像信号を補正する補正部とを備える。【選択図】図９
2010237528.tif 000002
【特許請求の範囲】
【請求項１】
複数の発光素子と、
前記発光素子の両端に印加される電圧と該発光素子の発光輝度に係る値との関係を示す関係データを記憶する記憶部と、
前記発光素子に基準電流が流れる際に該発光素子の両端に印加される電圧を検出する検出部と、
前記関係データと前記検出部によって検出される電圧とに基づいて、各前記発光素子の予測発光輝度に係る値を導出する導出部と、
前記導出部によって導出される複数の前記予測発光輝度に係る値における最大値と最小値との差が縮まるように各前記発光素子に対して補正値を設定する設定部と、
前記設定部によって各前記発光素子に対して設定される前記補正値に基づいて、各前記発光素子に対応する画像信号を補正する補正部と、
を備えることを特徴とする画像表示装置。
【請求項２】
請求項１に記載の画像表示装置であって、
前記設定部が、
前記予測発光輝度に係る値の最大値および最小値のうちの少なくとも一方の値に基づいて基準値を決定するとともに、各前記発光素子について、前記予測発光輝度に係る値を前記基準値に一致させる値に基づいて前記補正値を設定することを特徴とする画像表示装置。
【請求項３】
請求項２に記載の画像表示装置であって、
前記基準値が、
前記最大値であることを特徴とする画像表示装置。
【請求項４】
請求項２または請求項３に記載の画像表示装置であって、
前記設定部が、
前記最小値が第１閾値以上である場合に、前記最大値を前記基準値として決定することを特徴とする画像表示装置。
【請求項５】
請求項２に記載の画像表示装置であって、
前記基準値が、
前記最小値であることを特徴とする画像表示装置。
【請求項６】
請求項２または請求項５に記載の画像表示装置であって、
前記設定部が、
前記最小値が第２閾値未満である場合に、前記最小値を前記基準値として決定することを特徴とする画像表示装置。
【請求項７】
請求項１から請求項６の何れか１つの請求項に記載の画像表示装置であって、
前記補正部から出力される画像信号が示す階調を、前記発光素子の発光態様に応じて積算する積算部と、
前記関係データが、
前記発光素子に基準電流が流れる際に該発光素子の両端に印加される電圧と、前記発光素子の発光時間と、前記発光素子の発光輝度に係る値との関係を示す基準関係データを含み、
前記記憶部が、
前記発光素子の基準となる発光態様に応じて基準階調を積算することで求まる基準積算値を示すデータを記憶しており、
前記導出部が、
前記基準関係データと、前記積算部によって算出される積算値と、前記基準積算値と、前記検出部によって検出される電圧とに基づいて、各前記発光素子の予測発光輝度に係る値を導出することを特徴とする画像表示装置。
【請求項８】
請求項１から請求項７の何れか１つの請求項に記載の画像表示装置であって、
前記設定部が、
特定のタイミングにおいて前記補正値を設定することを特徴とする画像表示装置。
【請求項９】
請求項８に記載の画像表示装置であって、
前記特定のタイミングが、
スクリーンセーバーが表示されるタイミングを含むことを特徴とする画像表示装置。
【請求項１０】
請求項８に記載の画像表示装置であって、
前記設定部が、
前記発光素子の累積発光時間が一定時間に到達する毎に、前記補正値を設定することを特徴とする画像表示装置。
【発明の詳細な説明】
【技術分野】
【０００１】
本発明は、画像表示装置に関する。
【背景技術】
【０００２】
従来より、電流発光を利用した有機ＥＬ(Electroluminescence)素子を備える画像表示装置が知られている。このような画像表示装置では、有機ＥＬ素子等の自発光型の発光素子と駆動トランジスタとが直列に接続され、各発光素子を流れる電流が調整されることで、各発光素子の発光輝度が調整される。また、有機ＥＬ素子等の自発光型の発光素子では、電流発光によって劣化が進み、同じ電圧に対する発光輝度が徐々に低下する。そして、この発光素子の劣化の進行度合いは、発光素子毎に異なるため、表示画面上において、いわゆる焼き付き等による輝度ムラを生じさせる。
【０００３】
このような問題に対して、発光素子の発光時間に係る積分値を得て、該積分値と発光素子の経時的な劣化特性とに応じて、画像信号を補正することで、発光素子の輝度劣化を補償する技術が提案されている（例えば、特許文献１）。更に、発光素子の点灯強度を加味して画像信号を補正する技術（例えば、特許文献２）、および発光素子の温度特性を加味して画像信号を補正する技術（例えば、特許文献３）が提案されている。
【０００４】
また、発光素子における通電電気量の累計に応じて、画像信号を補正することで、発光素子の輝度劣化を補償する技術（例えば、特許文献４）、発光素子の表示時間に係る積分値に対応して電源電圧を変動させることで、発光素子の輝度劣化を補償する技術（例えば、特許文献５）が提案されている。また、各画素に光センサーを設けて、該光センサーで測定されるパラメータが目標値に到達するように画素の制御信号を生成することで、発光素子の輝度劣化を補償する技術（例えば、特許文献６，７）が提案されている。また、各発光素子に流れる電流の総和に基づいて、駆動トランジスタと発光素子とに対してそれぞれ付与される電圧の差を補正することで、発光素子の輝度劣化を補償する技術が提案されている（例えば、特許文献８）。また、ディスプレイで消費される全電流に応じた補正信号に基づいて入力画像信号を補正することで、発光素子の輝度劣化を補償する技術が提案されている（例えば、特許文献９）。
【先行技術文献】
【特許文献】
【０００５】
【特許文献１】特開２００２−６７９６号公報
【特許文献２】特開２００２−１７５０４１号公報
【特許文献３】特開２００４−７０３４９号公報
【特許文献４】特開２００５−５５８００号公報
【特許文献５】特開２００３−２８０５８３号公報
【特許文献６】特表２００７−５３５６８３号公報
【特許文献７】特表２００８−５０５３６６号公報
【特許文献８】特開２００５−３００９２９号公報
【特許文献９】特表２００８−５２３６２４号公報
【発明の概要】
【発明が解決しようとする課題】
【０００６】
しかしながら、例えば、上記特許文献１では、発光素子の発光時間の積分値の増加に比例して、発光素子の発光輝度が低下する態様が採用されているものの、実際には、発光素子の種類にも依るが、発光素子の劣化による発光輝度の低下は発光時間の積分値の増加に比例したものではない場合が多い。つまり、発光時間の積分値の増加に対する発光輝度の低下の度合いは、発光時間の積分値の大小によって大きく異なる。また、発光素子の劣化による発光輝度の低下が時間の経過に対して波打つように不安定に進行する場合もある。したがって、発光素子の発光時間に係る積分値から、発光素子における発光輝度の低下を精度良く予測することは難しく、表示画面における輝度ムラを精度良く抑制することが出来ない。なお、上記特許文献２，３の技術では、発光輝度の劣化の進行度合いを多段階で表しているため、発光素子の発光時間に係る積分値から、発光素子における発光輝度の低下を精度良く予測することが難しい。
【０００７】
また、上記特許文献４では、発光素子において通電電気量の累計値の増加に比例して発光輝度が低下しない場合や、通電電気量の累計値の増加に対して発光輝度が波打つように不安定に低下するような場合に対して、発光素子における発光輝度の低下を精度良く予測することについては触れられていない。また、上記特許文献５においても、発光素子における発光輝度の低下を精度良く予測することについては触れられていない。
【０００８】
また、上記特許文献６，７の技術のように、各画素に光センサーを設けることは、設計上難しく、更に輝度ムラを抑制するための処理が煩雑であるため、簡単には輝度ムラを抑制することができない。また、上記特許文献８の技術のように、全ての発光素子に対して一括して同様な電圧の補正を行うことで発光素子の輝度劣化を補償したのでは、表示画面における輝度ムラを精度良く抑制することが出来ない。また、上記特許文献９の技術では、発光素子毎に異なる発光素子の劣化の進行度合いに応じて、表示画面における輝度ムラを精度良く抑制することについては触れられていない。
【０００９】
本発明は、上記課題を鑑みてなされたものであり、表示画面における輝度ムラを精度良く抑制可能な画像表示装置を提供することを目的とする。
【課題を解決するための手段】
【００１０】
上記課題を解決するために、本発明の第１の態様に係る画像表示装置は、複数の発光素子と、前記発光素子の両端に印加される電圧と該発光素子の発光輝度に係る値との関係を示す関係データを記憶する記憶部とを備える。また、前記画像表示装置は、前記発光素子に基準電流が流れる際に該発光素子の両端に印加される電圧を検出する検出部と、前記関係データと前記検出部によって検出される電圧とに基づいて、各前記発光素子の予測発光輝度に係る値を導出する導出部とを備える。更に、前記画像表示装置は、前記導出部によって導出される複数の前記予測発光輝度に係る値における最大値と最小値との差が縮まるように各前記発光素子に対して補正値を設定する設定部と、前記設定部によって各前記発光素子に対して設定される前記補正値に基づいて、各前記発光素子に対応する画像信号を補正する補正部とを備える。
【発明の効果】
【００１１】
本発明によれば、表示画面における輝度ムラを精度良く抑制可能な画像表示装置を提供することができる。
【図面の簡単な説明】
【００１２】
【図１】第１および第２実施形態に係る画像表示装置の機能的な構成を示す図である。
【図２】第１および第２実施形態に係る画素回路の構成を示す図である。
【図３】発光素子における駆動時間と規格化輝度との関係を示す図である。
【図４】発光素子における駆動時間と駆動電圧との関係を示す図である。
【図５】発光素子における駆動電圧と電流密度との関係を示す図である。
【図６】発光素子における駆動電圧と発光輝度との関係を示す図である。
【図７】発光素子における駆動時間と電流密度との関係を示す図である。
【図８】発光素子における駆動時間と発光輝度との関係を示す図である。
【図９】第１実施形態の制御部に係る構成的な構成を示す図である。
【図１０】発光素子における駆動時間と規格化輝度との関係を近似的に示す図である。
【図１１】補正係数の設定動作フローを示すフローチャートである。
【図１２】補正係数の設定動作フローを示すフローチャートである。
【図１３】補正係数の設定動作フローを示すフローチャートである。
【図１４】補正係数の設定動作フローを示すフローチャートである。
【図１５】補正係数の設定動作フローを示すフローチャートである。
【図１６】発光素子における駆動時間と規格化輝度との関係を示す図である。
【図１７】発光素子における駆動時間と駆動電圧との関係を示す図である。
【図１８】第２実施形態の制御部に係る構成的な構成を示す図である。
【図１９】発光素子における駆動時間と規格化輝度との関係を近似的に示す図である。
【図２０】補正係数の設定動作フローを示すフローチャートである。
【発明を実施するための形態】
【００１３】
以下、本発明の実施形態を図面に基づいて説明する。
【００１４】
＜(1)第１実施形態＞
＜(1-1)画像表示装置の概略構成＞
図１で示されるように、本発明の第１実施形態に係る画像表示装置１は、制御部２、記憶部３、表示部４、電源回路５、および電圧検出部６を備える。
【００１５】
制御部２は、表示部４の動作の制御、および画像信号の処理等を行う。この制御部２は、例えば、ＣＰＵおよびＲＡＭ等を備え、記憶部３に記憶されるプログラム等をＣＰＵで実行することで、各種機能を実現する。なお、制御部２の各種機能は、専用の電子回路等で実現されても良い。
【００１６】
記憶部３は、不揮発性のメモリ等によって構成され、制御部２における各種機能を実現するための各種データ等が記憶される。
【００１７】
表示部４は、略長方形の輪郭を有し、複数の画素回路４１が、マトリックス状に配列されて構成される。各画素回路４１には、例えば、有機材料に電流を流すことで材料自らが発光する自発光型の発光素子としての有機発光ダイオードＯＬＥＤが含まる。なお、複数の画素回路４１には、赤色の光を発する画素回路、緑色の光を発する画素回路、および青色の光を発する画素回路が含まれる。また、表示部４には、複数の画像信号線ＬDATAと複数の走査信号線ＬSELとが相互に略直交するように設けられる。なお、画像信号線ＬDATAが、垂直方向に並ぶ画素回路４１のライン（垂直ライン）毎に設けられるとともに、走査信号線ＬSELが、水平方向に並ぶ画素回路４１のライン（水平ライン）毎に設けられる。
【００１８】
また、表示部４では、表示部４の一辺（長辺または短辺）に沿って配置されるＸドライバにより、画像信号線ＬDATAを介して、出力画像信号ＳOUTが画素回路４１に対して適宜供給される。また、表示部４の他の一辺（短辺または長辺）に沿って配置されるＹドライバにより、走査信号線ＬSELに対して走査信号が付与される。この走査信号は、各画像信号線ＬDATAを介して各画素回路４１に出力画像信号ＳOUTを供給するタイミングを制御する信号である。また、表示部４には、水平ライン毎に、電源線ＬVDD，ＬVSS、および補償制御信号線ＬTHが設けられる。
【００１９】
電源回路５は、電源（例えば、バッテリー等のＤＣ電源）から供給される電力を、表示部４に含まれる各画素回路４１に対して供給する。具体的には、電源線ＬVDDと電源線ＬVSSとの間に電圧が印加されることで、該電圧が各有機発光ダイオードＯＬＥＤの両端に供給され、該各有機発光ダイオードＯＬＥＤが発光する。電源線ＬVDDと電源線ＬVSSとの間に印加される電圧は、Ｙドライバによって調整される。なお、補償制御信号線ＬTHに付与される電位も、Ｙドライバによって調整される。また、電源回路５は、制御部２からの指示に応じて、各画素回路４１に一定の電流を供給する回路（定電流駆動回路）としても機能する。
【００２０】
電圧検出部６は、各有機発光ダイオードＯＬＥＤの両端に印加される電圧（駆動電圧）を検出する。有機発光ダイオードＯＬＥＤに流れる電流は、各画素回路４１に設けられる抵抗Ｒ１の両端における電圧を検出することで求められる。例えば、有機発光ダイオードＯＬＥＤに基準となる電流（基準電流）が流れるように該有機発光ダイオードＯＬＥＤの両端に印加される駆動電圧が制御部２によって制御され、基準電流が流れる際の駆動電圧ＶREALが検出される。該駆動電圧ＶREALを示す情報は、制御部２に対して送出される。なお、表示部４において有機発光ダイオードＯＬＥＤの劣化に応じた輝度ムラが発生しないように、制御部２が、電圧検出部６で検出される駆動電圧ＶREALに応じた補正係数ＣVを適宜設定し、該補正係数ＣVを入力画像信号に乗じる。この輝度ムラの抑制処理については更に後述する。
【００２１】
＜(1-2)画素回路の構成＞
図２で示されるように、画素回路４１は、有機発光ダイオードＯＬＥＤ、第１トランジスタＴDR、第２トランジスタＴTH、第３トランジスタＴSEL、第１コンデンサＣ１、第２コンデンサＣ２、および抵抗Ｒ１を備える。なお、図２では、有機発光ダイオードＯＬＥＤが発光する際に電流が流れる方向が矢印Ａｒ１によって示されている。
【００２２】
有機発光ダイオードＯＬＥＤのアノード電極は、第１トランジスタＴDRおよび抵抗Ｒ１を順次に介して、電源線ＬVDDに対して電気的に接続される。また、有機発光ダイオードＯＬＥＤのカソード電極は、電源線ＬVSSに対して電気的に接続される。具体的には、第１トランジスタＴDRの一方電極が、抵抗Ｒ１を介して電源線ＬVDDに対して電気的に接続されるとともに、第１トランジスタＴDRの他方電極が、有機発光ダイオードＯＬＥＤのアノード電極に対して電気的に接続される。なお、有機発光ダイオードＯＬＥＤが発光する際には、電源線ＬVDDに付与される電位が電源線ＬVSSに付与される電位よりも高くなるとともに、第１トランジスタＴDRの一方電極がドレインとして働き、第１トランジスタＴDRの他方電極がソースとして働く。
【００２３】
有機発光ダイオードＯＬＥＤの両端に印加される駆動電圧は、図２のノードＴAと電源線ＬVSSとの電位差が、サンプルホールド回路などによって構成される電圧検出部６によって検出されることで求められる。各画素回路４１のノードＴAを選択的に電圧検出部６に接続するためには、公知のスイッチ回路またはスキャナ回路を用いても良いし、電圧検出部６内に、複数のスイッチを備えたサンプルホールド回路を設ける構成としても良い。あるいは、ノードＴAを選択する目的のトランジスタを各画素回路４１に更に設ける構成としても良い。
【００２４】
第２トランジスタＴTHは、第１トランジスタＴDRのゲートと他方電極との間に設けられる。具体的には、第２トランジスタＴTHの一方電極が第１トランジスタＴDRのゲートに対して電気的に接続されるとともに、第２トランジスタＴTHの他方電極が第１トランジスタＴDRの他方電極に対して電気的に接続される。そして、第２トランジスタＴTHのゲートが補償制御信号線ＬTHに対して電気的に接続される。
【００２５】
第１コンデンサＣ１の一方電極が、第３トランジスタＴSELを介して画像信号線ＬDATAに対して電気的に接続され、第１コンデンサＣ１の他方電極が、第１トランジスタＴDRのゲートに対して電気的に接続される。つまり、第１トランジスタＴDRのゲートが、第１コンデンサＣ１の他方電極に対して電気的に接続されるとともに、第１コンデンサＣ１および第３トランジスタＴSELを介して画像信号線ＬDATAに対して電気的に接続される。具体的には、第３トランジスタＴSELの一方電極が、画像信号線ＬDATAに対して電気的に接続されるとともに、第３トランジスタＴSELの他方電極が、第１コンデンサＣ１の一方電極に対して電気的に接続される。また、第３トランジスタＴSELのゲートが、走査信号線ＬSELに対して電気的に接続される。
【００２６】
第２コンデンサＣ２は、第１コンデンサＣ１の一方電極と第１トランジスタＴDRの他方電極との間に設けられる。具体的には、第２コンデンサＣ２の一方電極が、第１コンデンサＣ１の一方電極および第３トランジスタＴSELの他方電極に対して電気的に接続されるとともに、第２コンデンサＣ２の他方電極が、第１トランジスタＴDRおよび第２トランジスタＴTHの各他方電極に対して電気的に接続される。
【００２７】
そして、第１トランジスタＴDRは、他方電極の電位を基準とした該他方電極とゲートとの間の電圧（ゲート電圧）の設定に応じて、有機発光ダイオードＯＬＥＤを流れる電流を調整する。
【００２８】
有機発光ダイオードＯＬＥＤを流れる電流は、各画素回路４１に設けられる抵抗Ｒ１の両端における電圧を検出することで求められるが、より具体的には、図２のノードＴRと電源線ＬVDDとの電位差が、サンプルホールド回路などによって構成される電圧検出部６によって検出されることで求められる。各画素回路４１のノードＴRを選択的に電圧検出部６に接続するためには、公知のスイッチ回路またはスキャナ回路を用いても良いし、電圧検出部６内に、複数のスイッチを備えたサンプルホールド回路を設ける構成としても良い。あるいは、ノードＴRを選択する目的のトランジスタを各画素回路４１に更に設ける構成としても良い。
【００２９】
第２トランジスタＴTHは、第１コンデンサＣ１を介して第１トランジスタＴDRのゲートに対して出力画像信号の電位を印加する直前に、第１トランジスタＴDRのゲート電圧をいわゆる閾値電圧に設定する。第３トランジスタＴSELは、画像信号線ＬDATAからの電位の付与により、第１コンデンサＣ１の一方電極と第２コンデンサＣ２の一方電極との間に出力画像信号に応じた電位を設定する。つまり、有機発光ダイオードＯＬＥＤが発光する際には、第１トランジスタＴDRのゲート電圧は、第１トランジスタＴDRのゲートと第１コンデンサＣ１の他方電極との間に設定された閾値電圧に相当する電位と、第１コンデンサＣ１の一方電極と第２コンデンサＣ２の一方電極との間に設定された出力画像信号に応じた電位とが加算された電位に応じた電圧となる。
【００３０】
＜(1-3)発光素子の劣化の態様＞
一具体例として、赤色の光を発する有機発光ダイオードＯＬＥＤの劣化の態様について説明する。
【００３１】
ここで赤色の光を発する有機発光ダイオードＯＬＥＤは、アノード電極としての第１電極層、正孔注入層、正孔輸送層、発光層、電子輸送層、電子注入層、カソード電極としての第２電極層、および有機質保護層の８層が、この順番に積層されて構成される。具体的には、第１電極層は、ネオジムを含有するアルミニウム合金をスパッタ成膜した厚さ７０ｎｍの層である。正孔注入層は、厚さ７ｎｍのトリフェニレン誘導体からなる蒸着層である。正孔輸送層は、厚さ４５ｎｍの芳香族アミン誘導体からなる蒸着層である。発光層は、赤色の蛍光を発する物質をドーパント材料としてホスト材料に含有させた厚さ２２ｎｍの共蒸着膜である。なお、発光層におけるドーパント材料の濃度は、１．１％とされている。電子輸送層は、厚さ５５ｎｍのトリス（８−キノリノラト）アルミニウム（Ａｌｑ３）からなる蒸着層である。電子注入層は、厚さ０．５ｎｍのフッ化リチウムからなる蒸着層である。第２電極層は、厚さ２０ｎｍのマグネシウムと銀からなる共蒸着層である。有機質保護層は、厚さ７０ｎｍの芳香族アミン誘導体からなる蒸着層である。なお、有機発光ダイオードＯＬＥＤのうちの発光する部分（発光部）を１辺が６ｍｍの略正方形の形状とすることで、発光部の面積は０．３６ｃｍ2とされる。
【００３２】
ここで、有機発光ダイオードＯＬＥＤの劣化の態様を観測する条件について説明する。有機発光ダイオードＯＬＥＤの発光輝度については、一般的な輝度計を用いて測定した。また、有機発光ダイオードＯＬＥＤに印加される電圧（駆動電圧）Ｖを検出した。更に、抵抗Ｒ１に流れる電流を検出することで、有機発光ダイオードＯＬＥＤにおける電流密度を検出した。
【００３３】
そして、有機発光ダイオードＯＬＥＤを定電流駆動回路に接続し、有機発光ダイオードＯＬＥＤにおける電流密度が３０ｍＡ／ｃｍ2となるように、１０．８ｍＡの一定電流が流れるように設定した。有機発光ダイオードＯＬＥＤが発光し始めた際（駆動開始時）の発光輝度（初期発光輝度）Ｌ0は３８８２ｃｄ／ｍ2であったが、発光開始から３１３２時間経過後には、発光輝度が初期発光輝度Ｌ0の約３８％の値まで低下した。なお、測定時における有機発光ダイオードＯＬＥＤの周囲の温度については、自動測定の結果、測定期間中における平均温度が２８．２℃、最低温度が２１．０℃、最高温度が３４．０℃であった。そして、最低温度と最高温度の間に位置する第１四分位数の温度が２５．０℃、第３四分位数の温度が３２．５℃であった。このため、測定期間における半数の温度の測定値が、第１四分位数と第３四分位数の範囲内に含まれるので、標準的な室内環境に近い条件で観測を行ったことになる。
【００３４】
このような測定条件における測定結果に基づいて、各時点における発光輝度Ｌを初期発光輝度Ｌ0で除した値（Ｌ／Ｌ0）を規格化輝度として算出した。その結果、発光開始から経過した時間（駆動時間）ｔと規格化輝度Ｌ／Ｌ0との関係は、図３で示されるようなものとなった。また、駆動時間ｔと駆動電圧Ｖとの関係は、図４で示されるようなものとなった。
【００３５】
また、上記測定中、約１００時間経過する度に、駆動電圧と電流密度との関係、および駆動電圧と発光輝度との関係を測定した。図５に駆動電圧と電流密度との関係が示され、図６に駆動電圧と発光輝度との関係が示されている。なお、図５および図６では、駆動開始時の測定結果が黒塗りの菱形のプロット、駆動開始から６００時間経過後の測定結果が黒塗りの三角のプロット、駆動開始から１０００時間経過後の測定結果が白抜きの菱形のプロット、駆動開始から１６６５時間経過後の測定結果が黒塗りの正方形のプロット、駆動開始から２０６５時間経過後の測定結果が白抜きの三角のプロット、駆動開始から２６６５時間経過後の測定結果が白抜きの丸のプロット、駆動開始から３０６５時間経過後の測定結果が白抜きの正方形のプロットでそれぞれ示されている。
【００３６】
図５で示されるように、ある駆動電圧における電流密度は、駆動時間が長くなるにつれて、次第に低下した。そして、測定の後期である測定開始から１８００時間以上経過した時間帯では、電流密度の低下量が著しく大きかった。また、図６で示されるように、ある駆動電圧における発光輝度は、駆動時間が長くなるにつれて、次第に低下した。そして、測定の後期である測定開始から１８００時間以上経過した時間帯では、発光輝度の低下量が著しく大きかった。また、図５および図６で示される測定結果について、同一の駆動電圧における電流密度と発光輝度とを比較すると、電流密度の低下量よりも、発光輝度の低下量の方が相対的に大きいことが分かった。なお、図６で示されるように、例えば、２０００ｃｄ／ｍ2の発光輝度を実現するためには、駆動開始時点（駆動時間ｔ＝０ｈ）では約５Ｖの駆動電圧が必要であり、駆動時間ｔ＝２６６５ｈ（時間）の時点では約７Ｖの駆動電圧が必要であり、駆動時間ｔ＝３０６５ｈの時点では約９．５Ｖの駆動電圧が必要であることが分かった。
【００３７】
また、所定の駆動電圧における駆動時間と電流密度との関係は、図７で示されるようなものとなり、所定の駆動電圧における駆動時間と発光輝度との関係は、図８で示されるようなものとなった。なお、図７および図８では、駆動電圧が５．５Ｖである場合の測定結果が白抜きの丸のプロット、駆動電圧が６．５Ｖである場合の測定結果が白抜きの三角のプロット、および駆動電圧が７．５Ｖである場合の測定結果が白抜きの四角のプロットでそれぞれ示されている。図７で示されるように、一定の駆動電圧に対して、駆動時間が長くなるにつれて、電流密度が次第に低下した。そして、測定の後期である測定開始から１８００時間以上経過した時間帯では、電流密度の低下量が著しく大きかった。また、図８で示されるように、一定の駆動電圧に対して、駆動時間が長くなるにつれて、発光輝度が次第に低下した。そして、測定の後期である測定開始から１８００時間以上経過した時間帯では、発光輝度の低下量が著しく大きかった。なお、図８で示されるように、例えば、３０００ｃｄ／ｍ2の発光輝度を実現するためには、駆動時間ｔ＝７５０ｈの周辺の時点では約５．５Ｖの駆動電圧が必要であり、駆動時間ｔ＝２３００ｈの周辺の時点では約６．５Ｖの駆動電圧が必要であり、駆動時間ｔ＝２７００ｈの周辺の時点では約７．５Ｖの駆動電圧が必要であることが分かった。
【００３８】
＜(1-4)輝度ムラの抑制処理に係る構成＞
図９で示されるように、制御部２は、輝度ムラの抑制処理に係る機能的な構成として、予測発光輝度導出部２１、基準値決定部２２、補正値設定部２３、信号補正部２４、およびガンマ（γ）変換部２５を有する。また、記憶部３は、輝度ムラの抑制処理に係るデータとして、第１関数データ３１、第２関数データ３２、および補正値テーブル３３を格納する。
【００３９】
第１関数データ３１は、図３で示されたような有機発光ダイオードＯＬＥＤに係る駆動時間ｔと規格化輝度Ｌ／Ｌ0との関係を近似的に示す関数のデータである。第２関数データ３２は、図４で示されたような有機発光ダイオードＯＬＥＤに係る駆動時間ｔと駆動電圧Ｖとの関係を示すデータが記述されたものである。したがって、本実施形態では、第１関数データ３１と第２関数データ３２とが、有機発光ダイオードＯＬＥＤの両端に印加される電圧（ここでは、駆動電圧Ｖ）と、該有機発光ダイオードＯＬＥＤの発光輝度に係る値（ここでは、規格化輝度Ｌ／Ｌ0）との関係を示すデータ（関係データ）となる。また、補正値テーブル３３は、補正値設定部２３で画素回路４１毎に設定される補正値としての補正係数ＣVが記述されるものである。
【００４０】
導出部としての予測発光輝度導出部２１は、基準電流が有機発光ダイオードＯＬＥＤに流れる際の駆動電圧ＶREAL、第１関数データ３１、および第２関数データ３２に基づいて、各有機発光ダイオードＯＬＥＤにおける予測発光輝度に係る値（ここでは、規格化輝度Ｌ／Ｌ0）を導出する。なお、ここでは、導出される各有機発光ダイオードＯＬＥＤの規格化輝度Ｌ／Ｌ0のうち、駆動電圧ＶREALが最小となる有機発光ダイオードＯＬＥＤの規格化輝度（規格化輝度の最大値）をＬmaxとするとともに、駆動電圧ＶREALが最大となる有機発光ダイオードＯＬＥＤの規格化輝度（規格化輝度の最小値）をＬminとする。
【００４１】
基準値決定部２２は、予測発光輝度導出部２１で導出される規格化輝度の最大値Ｌmaxおよび規格化輝度の最小値Ｌminのうちの少なくとも一方の値に基づいて、基準値ＴＨSを決定する。なお、この基準値ＴＨSの決定方法については、規格化輝度の最小値Ｌminの大小によって異なる。
【００４２】
補正値設定部２３は、基準値ＴＨSに基づいて、予測発光輝度導出部２１で導出される複数の規格化輝度Ｌ／Ｌ0における最大値Ｌmaxと最小値Ｌminとの差が縮まるように、各有機発光ダイオードＯＬＥＤに対して補正値としての補正係数ＣVを設定する。具体的には、補正値設定部２３は、各有機発光ダイオードＯＬＥＤについて、予測発光輝度導出部２１によって導出される規格化輝度Ｌ／Ｌ0を基準値ＴＨSに一致させる値に基づいて求まる補正係数ＣVを補正値として設定する。
【００４３】
ここで設定される補正係数ＣVは、対応する各有機発光ダイオードＯＬＥＤに関連付けられた形式で補正値テーブル３３に記述される。なお、本実施形態では、基準値決定部２２と補正値設定部２３とが機能することで、各有機発光ダイオードＯＬＥＤに対して補正値としての補正係数ＣVを設定する設定部としてはたらく。また、補正係数ＣVについては、画像表示装置１の使用開始時点では初期値としての１に設定されており、駆動時間ｔの経過に応じて、補正値設定部２３によって補正係数ＣVが初期値から変更される。
【００４４】
補正部としての信号補正部２４は、補正値テーブル３３において各有機発光ダイオードＯＬＥＤに関連付けられている補正係数ＣVに基づいて、各有機発光ダイオードＯＬＥＤに対応する画像信号を補正する。具体的には、各有機発光ダイオードＯＬＥＤに対応する画像信号が示す階調に補正係数ＣVが乗じられるような補正が行われる。なお、補正後の画像信号は、画像信号ＳCとしてγ変換部２５に対して出力される。
【００４５】
γ変換部２５は、信号補正部２４から出力される画像信号ＳCに対して所謂ガンマ変換を施すことで、出力画像信号ＳOUTに変換した上で、表示部４のＸドライバに対して該出力画像信号ＳOUTを出力する。
【００４６】
＜(1-5)輝度ムラの抑制処理方法＞
＜(1-5-1)データの事前準備＞
有機発光ダイオードＯＬＥＤに基準電流を流した際の駆動電圧と発光輝度とを予め測定することで、図３および図４で示されるような実測結果を得る。ここで、図３で示されたような駆動時間ｔと規格化輝度Ｌ／Ｌ0との関係を示す曲線については、単純な指数関数で記述することができない。このため、規格化輝度Ｌ／Ｌ0を、駆動時間ｔと駆動電圧Ｖとを用いて表す関数と、駆動時間ｔと駆動電圧Ｖとの関係を表す関数とを求める。そして、画像表示装置１の出荷前に、規格化輝度Ｌ／Ｌ0を駆動時間ｔと駆動電圧Ｖとを用いて表す関数のデータを第１関数データ３１として記憶部３に記憶するとともに、駆動時間ｔと駆動電圧Ｖとの関係を表す関数のデータを第２関数データ３２として記憶部３に記憶する。なお、第１および第２関数データ３１，３２については、赤、緑、青の各色の有機発光ダイオードＯＬＥＤについて、図３および図４で示されるような実測結果に沿って設定される。
【００４７】
ここでは、赤色の有機発光ダイオードＯＬＥＤについての第１および第２関数データ３１，３２を例に挙げて説明する。
【００４８】
例えば、図３および図４で示された実測結果に基づいて、該実測結果を近似的な数式で表される関数で表現することを想定する。ここで、有機発光ダイオードＯＬＥＤの駆動開始時点（駆動時間ｔ＝０ｈ）における駆動電圧を定数Ｖ0とすると、規格化輝度Ｌ／Ｌ0は、下式(１)で示されるように、駆動電圧Ｖと駆動時間ｔとを用いて近似的に表すことができる。実測結果から該実測結果を近似的に示す関数を求める手法としては、例えば、実測値を用いて、規格化輝度Ｌ／Ｌ0が線形的に変化する部分の傾き、および規格化輝度Ｌ／Ｌ0の変化を示す指数関数の係数等を順次に算出するような公知の種々の手法を採用すれば良い。
【００４９】
【数１】
2010237528.tif 000003
【００５０】
上式(１)で示される関数は、図１０で示されるような駆動時間ｔに対する規格化輝度Ｌ／Ｌ0の関係を示すものである。そして、上式(１)の値と実測値との誤差を算出すると、誤差の平均は、０．００００３４と極めて小さい。なお、ここでは、上式(１)の関数を示すデータが、第１関数データ３１に相当する。また、駆動電圧Ｖと駆動時間ｔとの関係が、駆動時間ｔが１８００ｈよりも大きな条件下では近似的に下式(２)で示され、駆動時間ｔが１８００ｈ以下である条件下では近似的に下式(３)で示される。ここでは、下式(２)，(３)の関数を示すデータが、第２関数データ３２に相当する。
【００５１】
【数２】
2010237528.tif 000004
【００５２】
ここで、上式(２)，(３)で示されるような数式を求める方法について具体的に説明する。図４で示されるような実測結果には、通常、直線を用いて近似できる平坦な部分が存在する。このような部分については、公知の表計算ソフトウェア、または統計解析ソフトを用いることによって、簡便な方法で数式を求めることができる。
【００５３】
図４で示される実測結果は、駆動時間ｔが１８００ｈ以下の第１の範囲については、直線を用いて近似できる平坦な部分である。このため、駆動時間ｔを横軸の変数ｘとするとともに、駆動電圧Ｖを縦軸の変数ｙとして、その部分のグラフを散布図として描き、その回帰直線を求めることで、下式(４)で示される回帰式が算出される。
【００５４】
ｙ＝２．９７５８×１０-4ｘ＋５．４０５８  ・・・(４)
【００５５】
なお、第１の範囲について、回帰直線の傾きである２．９７５８×１０-4を求め、回帰直線の切片である５．４０５８を求めてもよい。
【００５６】
次に、横軸の変数ｘを駆動時間ｔに書き換えるとともに、縦軸の変数ｙを駆動電圧Ｖに書き換えることで、上式(３)が求められる。これを電圧関数１(ｔ)と呼ぶことにする。
【００５７】
図４で示される実測結果のうち、駆動時間ｔが１８００ｈ以上の第２の範囲に係る曲線部分を表す数式である上式(２)を求めるためには、駆動電圧Ｖの実測結果と、上式(３)で表される電圧関数１(ｔ)との差分を抽出し、これを数式で表せばよい。ここでは、差分{駆動電圧−電圧関数１(ｔ)}を表す散布図を求める。
【００５８】
まず、電圧関数１(ｔ)の取り扱いを簡単にするため、第２の範囲について、電圧関数１(ｔ)の独立変数である駆動時間ｔを、０から始まる変数ｕ＝ｔ−１８００に変換することで、電圧関数１(ｕ)を求める。更に、電圧関数１(ｔ)の取り扱いを簡単にするため、第２の範囲について、電圧関数１(ｔ)の独立変数である駆動時間ｔを、０から始まる変数ｗ＝(ｔ−１８００)／１００に変換することで、電圧関数１(ｗ)を求める。
【００５９】
ここで、差分{駆動電圧−電圧関数１(ｗ)}を引数として、自然対数ｌｏｇe{(駆動電圧−電圧関数１(ｗ)}を求め、その回帰曲線を求めることで、下式(５)で示される回帰式が算出される。
【００６０】
ｙ＝２．３４４６×ｌｏｇe（ｘ）−４．９４９１  ・・・(５)
【００６１】
上式(５)の回帰式は、下式(６)で示される近似関係を表している。
【００６２】
ｌｏｇe{駆動電圧−電圧関数１(ｗ)}≒２．３４４６×ｌｏｇe(ｗ)−４．９４９１  ・・・(６)
【００６３】
ここで、上式(６)の両辺を、底がネイピア数ｅである指数関数ｅxと、ｗの累乗関数とを用いて書き換えると、下式(７)が得られる。
【００６４】
{駆動電圧−電圧関数１(ｗ)}≒ｅｘｐ(−４．９４９１)×ｗ2.3446＝７．０８９８×１０-3×(ｗ2.3446)  ・・・（７）
【００６５】
以下では、上式(７)の右辺を、ｗに係る累乗関数１(ｗ)と呼ぶことにする。
【００６６】
ここで、上式(７)の２つの係数を少量ずつ増減して、上式(７)の左辺と右辺とが、全体として精度良く一致するように調整する。具体的には、ｗの累乗関数の係数である２．３４４６を更に大きくすると、変数ｗの増加に伴って、ｗの累乗関数の値がより急激に上昇するようになるため、図４の実測結果を示す曲線の右端における近似の精度を向上させることができる。ただし、そのままでは、差分{駆動電圧−電圧関数１(ｗ)}に対して、ｗの累乗関数の値が大きくなり過ぎるので、指数関数の係数である(−４．９４９１)を少量ずつ逓減させて、上式(７)の左辺と右辺とが、全体として精度良く一致するように調整する。
【００６７】
このような調整を行った結果、ｗの累乗関数の係数の最適な値は２．５となり、指数関数の係数の最適な値は（−５．２０３）となった。これらの係数を用いて、上式(７)を書き換えると、下式(８)が得られる。
【００６８】
{駆動電圧−電圧関数１(ｗ)}≒ｅｘｐ(−５．２０３)×ｗ2.5＝０．００５５×(ｗ  2.5)  ・・・(８)
【００６９】
以下では、上式(８)の右辺を、ｗの累乗関数２(ｗ)と呼ぶことにする。
【００７０】
ここで、式(８)の累乗関数２(ｗ)の変数ｗを、駆動時間ｔに書き換えると、下式(９)が得られる。これを駆動時間ｔの電圧関数２(ｔ)と呼ぶことにする。
【００７１】
{駆動電圧−電圧関数１(ｗ)}≒０．００５５×{(ｔ−１８００)／１００}2.5  ・・・(９）
【００７２】
そして、上式(９)について、電圧関数１(ｗ)を右辺に移項すると、下式(１０)が得られる。
【００７３】
駆動電圧≒電圧関数１(ｗ)＋０．００５５×{(ｔ−１８００)／１００}2.5  ・・・(１０)
【００７４】
ここで、上式(１０)に電圧関数１(ｔ)を表す上式(３)を代入すると、上式(２)が求められる。
【００７５】
次に、数式(１)を求める方法について具体的に説明する。図３で示される実測結果のうちの駆動時間ｔが１８００ｈ以下の第１の範囲については、関数を用いて近似することができる。この関数を用いて近似できることは次のようにして確認できる。
【００７６】
まず、駆動時間ｔが増加するにつれて、近似曲線が示す値が逓増するように、差分(１−規格化輝度Ｌ／Ｌ0)を求める。次に、差分(１−規格化輝度Ｌ／Ｌ0)を引数として、自然対数ｌｏｇe(１−規格化輝度Ｌ／Ｌ0)を求める。そして、駆動時間ｔを横軸の変数ｘとし、自然対数を縦軸の変数ｙとして、第１の範囲についてのグラフを散布図として描き、回帰曲線を求めることで、下式(１１)の回帰式が算出される。
【００７７】
ｙ＝０．６５１９２×ｌｏｇe(ｘ)−４．２１５５  ・・・(１１)
【００７８】
なお、上式(１１)で示される回帰式は、下式(１２)で示される近似関係を表している。
【００７９】
ｌｏｇe(１−規格化輝度Ｌ／Ｌ0)≒０．６５１９２×ｌｏｇe(ｔ)−４．２１５５  ・・・(１２)
【００８０】
ここで、上式(１２)の両辺を、底がネイピア数ｅである指数関数ｅxと、ｔの累乗関数とを用いて書き換えると、下式(１３)が得られる。
【００８１】
１−規格化輝度Ｌ／Ｌ0≒ｅｘｐ(−４．２１５５)×ｔ0.65192＝０．０１４７６×(ｔ0.65192)  ・・・  (１３)
【００８２】
上式(１３)は、第１の範囲についての近似式である。このため、図３で示される実測結果のうちの右端およびｌｏｇe(１−規格化輝度Ｌ／Ｌ0)≒−０．５付近については、近似の精度を更に高めるために、別の式を用いた近似を行なう。
【００８３】
図３で示される実測結果のうちの駆動時間ｔが１８００ｈ以上の第２の範囲については、図４で示された駆動電圧Ｖの傾きの絶対値の増大と、(１−規格化輝度Ｌ／Ｌ0)の傾きの絶対値の増大とが呼応していることが把握された。従って、駆動電圧Ｖと呼応する成分の寄与を、係数ｍを用いた下式(１４)で表すことで、近似式を求める。
【００８４】
ｍ×(Ｖ−Ｖ0)／Ｖ0  ・・・(１４)
【００８５】
ここでは、係数ｍは、駆動時間ｔの定義域の右端（定義域内でのｔの最大値の近傍）で、上式(１４)の値が、差分(１−規格化輝度Ｌ／Ｌ0)を超えない範囲内で求められる。
【００８６】
ここで、差分(１−規格化輝度Ｌ／Ｌ0)の駆動時間ｔの変化に対する傾きと、上式(１４)で示される値の駆動時間ｔの変化に対する傾きとを比較する。駆動時間ｔの定義域の左端（定義域内でのｔの最小値の近傍）では、差分(１−規格化輝度Ｌ／Ｌ0)の傾きの方が、上式(１４)で示される値の傾きよりも大きい。また、駆動時間ｔが１０００時間の近傍からそれ以上の時間帯については、差分(１−規格化輝度Ｌ／Ｌ0)の傾きと、上式(１４)で示される値の傾きとが、ほぼ等しくなる。このとき、駆動時間ｔと差分(１−規格化輝度Ｌ／Ｌ0)との関係を示す曲線と、駆動時間ｔ上式(１４)で示される値との関係を示す曲線とが、並行した状態にあることになる。
【００８７】
従って、ある関数ｄ(ｔ)を考え、駆動時間ｔが１０００時間未満の範囲内で増加する際には、ｄ(ｔ)の値が、下式(１５)で示される値に近づくように増加するとともに、駆動時間ｔが１０００時間以上の範囲内で増加する際には、ｄ(ｔ)の値が一定値に収束するような関数を用いれば、近似の精度が高められる。
【００８８】
(１−規格化輝度Ｌ／Ｌ0)−ｍ×(Ｖ−Ｖ0)／Ｖ0  ・・・(１５)
【００８９】
そこで、関数ｄ(ｔ)を表す式として、係数ｊおよびkを用いた下式(１６)を考える。下式(１６)の係数kの逆数は、関数ｄ(ｔ)の収束に要する時間を規定する時定数を意味する。ここでは、係数kの逆数を３００時間程度に対応するように調整すれば、上記の近似の精度を高める要請が満たされることになる。
【００９０】
ｄ(ｔ)＝ｊ×{１−ｅｘｐ(−ｋ×ｔ)}  ・・・(１６)
【００９１】
また、駆動時間ｔが正の無限大の値に向けて増大するとき、関数ｄ(ｔ)は係数ｊに漸近するから、係数ｊは、上式(１５)の最大値よりも小さな値でなければならないという制約条件が存在する。そして、この制約条件に基いて、係数ｍ、ｊおよびkを調整することで、上式(１４)の値と上式(１６)の値との和と、差分(１−規格化輝度Ｌ／Ｌ0)との間の誤差がなるべく小さくなるように調整することができる。つまり、上式(１４)と上式(１６)とに基づいて、下式(１７)が得られる。
【００９２】
(１−規格化輝度Ｌ／Ｌ0)≒ｍ×(Ｖ−Ｖ0)／Ｖ0＋ｊ×{１−ｅｘｐ(−ｋ×ｔ)}  ・・・(１７)
【００９３】
この上式(１７)を規格化輝度Ｌ／Ｌ0について解くと、下式(１８)が得られる。
【００９４】
規格化輝度Ｌ／Ｌ0≒１−ｍ×(Ｖ−Ｖ0)／Ｖ0−ｊ×{１−ｅｘｐ(−ｋ×ｔ)}  ・・・(１８)
【００９５】
そして、上式(１８)に、係数ｍ、ｊおよびkを代入することで、上式(１)が求められる。なお、ここでは、ｍ＝０．６５８，ｊ＝０．０８５６，ｋ＝０．００３５となる。
【００９６】
このようにして、第１および第２関数データ３１，３２が、赤、緑、青の各色の有機発光ダイオードＯＬＥＤについて求められ、画像表示装置１の出荷前等において、記憶部３に格納される。ここでは、第１および第２関数データ３１，３２を数式で表したが、ある値ｘに対して、ただ1つの値ｙが対応するような関係が得られればよい。従って、駆動時間ｔに対する規格化輝度Ｌ／Ｌ0の関係を表す第１関数データ３１、および／または、駆動電圧Ｖと駆動時間ｔとの関係を表す第２関数データ３２を、配列などのデータ構造によって表されるルックアップテーブル(Lookup table)方式によって、記憶部３に格納してもよい。第１および第２関数データ３１，３２を表現する方式として、数式で表す方式とルックアップテーブル方式のうちの何れの方式を選択するかについては、数式に従った計算時におけるプロセッサに対する負荷や、記憶部３に必要とされる記憶容量などを勘案して決めれば良い。
【００９７】
＜(1-5-2)使用時における発光輝度の補正方法＞
画像表示装置１では、上述したように、使用時間の経過とともに各色の有機発光ダイオードＯＬＥＤが劣化する。このため、適時、第１および第２関数データ３１，３２を用いた補正係数ＣVの設定および更新が行われる。これにより、有機発光ダイオードＯＬＥＤの発光輝度の補正が行われ、表示画面における輝度ムラが精度良く抑制される。以下、画像表示装置１の使用時における発光輝度の補正方法について説明する。なお、ここでは、赤色の有機発光ダイオードＯＬＥＤについての発光輝度の補正方法を例示しつつ説明する。
【００９８】
表示部４にスクリーンセーバーが表示されるタイミング等といった特定のタイミングにおいて、制御部２によって電源回路５が制御されることで、有機発光ダイオードＯＬＥＤを流れる電流密度が基準の電流密度である３０ｍＡ／ｃｍ2に設定される。そして、このとき、電圧検出部６によって各画素回路４１の駆動電圧ＶREALが測定される。
【００９９】
次に、予測発光輝度導出部２１において、電圧検出部６によって測定される任意の駆動電圧ＶREALに対して、上式(２)，(３)を用いて駆動時間ｔが推定される。更に、駆動電圧ＶREALと推定される駆動時間ｔとが、上式(１)のＶとｔに代入されることで、各有機発光ダイオードＯＬＥＤについての規格化輝度Ｌ／Ｌ0が推定される。
【０１００】
ここで、９つの画素回路４１ａ，４１ｂ，４１ｃ，４１ｄ，４１ｅ，４１ｆ，４１ｇ，４１ｈ，４１ｉについて、基準電流が流れる際に電圧検出部６によってそれぞれ駆動電圧ＶREALが測定される場合を想定する。ここで、画素回路４１ａについて駆動電圧Ｖａ、画素回路４１ｂについて駆動電圧Ｖｂ、画素回路４１ｃについて駆動電圧Ｖｃ、画素回路４１ｄについて駆動電圧Ｖｄ、画素回路４１ｅについて駆動電圧Ｖｅ、画素回路４１ｆについて駆動電圧Ｖｆ、画素回路４１ｇについて駆動電圧Ｖｇ、画素回路４１ｈについて駆動電圧Ｖｈ、画素回路４１ｉについて駆動電圧Ｖｉが、それぞれ測定されるものとする。
【０１０１】
そして、例えば、駆動電圧Ｖａが５．５９８Ｖであれば、駆動時間ｔ＝６４５ｈが推定され、更に規格化輝度Ｌ／Ｌ0＝０．９が推定される。駆動電圧Ｖｂが５．９３６Ｖであれば、駆動時間ｔ＝１７８２ｈが推定され、更に規格化輝度Ｌ／Ｌ0＝０．８５が推定される。駆動電圧Ｖｃが６．３４６Ｖであれば、駆動時間ｔ＝２２７１ｈが推定され、更に規格化輝度Ｌ／Ｌ0＝０．８０が推定される。駆動電圧Ｖｄが６．７５７Ｖであれば、駆動時間ｔ＝２４６１ｈが推定され、更に規格化輝度Ｌ／Ｌ0＝０．７５が推定される。駆動電圧Ｖｅが７．１６８Ｖであれば、駆動時間ｔ＝２５９８ｈが推定され、更に規格化輝度Ｌ／Ｌ0＝０．７０が推定される。駆動電圧Ｖｆが７．５７８Ｖであれば、駆動時間ｔ＝２７０８ｈが推定され、更に規格化輝度Ｌ／Ｌ0＝０．６５が推定される。駆動電圧Ｖｇが７．９８９Ｖであれば、駆動時間ｔ＝２８０２ｈが推定され、更に規格化輝度Ｌ／Ｌ0＝０．６０が推定される。駆動電圧Ｖｈが８．３９９Ｖであれば、駆動時間ｔ＝２８８５ｈが推定され、更に規格化輝度Ｌ／Ｌ0＝０．５５が推定される。駆動電圧Ｖｉが８．８１０Ｖであれば、駆動時間ｔ＝２９６０ｈが推定され、更に規格化輝度Ｌ／Ｌ0＝０．５０が推定される。
【０１０２】
なお、全ての画素回路４１に係る駆動電圧Ｖが、駆動電圧Ｖａ〜Ｖｃの範囲に分布している場合には、仮に発光輝度の補正が行われず、全ての画素回路４１に対して単に最大階調の出力画像信号が付与されると、規格化輝度Ｌ／Ｌ0が０．８０〜０．９０の範囲に分布することになる。つまり、画素回路４１ａの発光輝度と画素回路４１ｃの発光輝度との間において、１．１２５倍（＝０．９０／０．８０）程度の発光輝度のズレが観察されることになる。
【０１０３】
また、全ての画素回路４１に係る駆動電圧Ｖが、駆動電圧Ｖｄ〜Ｖｆの範囲に分布している場合には、仮に発光輝度の補正が行われず、全ての画素回路４１に対して単に最大階調の出力画像信号が付与されると、規格化輝度Ｌ／Ｌ0が０．６５〜０．７５の範囲に分布することになる。つまり、画素回路４１ｄの発光輝度と画素回路４１ｆの発光輝度との間において、１．１５４倍（＝０．７５／０．６５）程度の発光輝度のズレが観察されることになる。
【０１０４】
また、全ての画素回路４１に係る駆動電圧Ｖが、駆動電圧Ｖｇ〜Ｖｉの範囲に分布している場合には、仮に発光輝度の補正が行われず、全ての画素回路４１に対して単に最大階調の出力画像信号が付与されると、規格化輝度Ｌ／Ｌ0が０．５０〜０．６０の範囲に分布することになる。つまり、画素回路４１ｇの発光輝度と画素回路４１ｉの発光輝度との間において、１．２倍（＝０．６０／０．５０）程度の発光輝度のズレが観察されることになる。
【０１０５】
このような発光輝度のズレの発生に対して、本実施形態に係る画像表示装置１では、発光輝度のズレの大きさに応じて、複数の発光輝度の補正方法の中から１つの補正方法が選択的に実行される。
【０１０６】
詳細には、まず、基準値決定部２２によって、駆動電圧ＶREALが最小となる画素回路４１に対応する規格化輝度（すなわち、規格化輝度の最大値）Ｌmaxと、駆動電圧ＶREALが最大となる画素回路４１に対応する規格化輝度（すなわち、規格化輝度の最小値）Ｌminとが求められる。次に、基準値決定部２２によって、最大値Ｌmaxと最小値Ｌminとの比（Ｌmax／Ｌmin）が、発光輝度のズレとして認識される。その次に、基準値決定部２２によってＬmax／Ｌminの値が判定基準値Ｒ0以下（Ｒ0の値は、例えば１．０３等）であるか否かが判定される。そして、基準値決定部２２によって、Ｌmax／Ｌmin≦Ｒ0の関係が成立する場合には、発光輝度のズレが軽微であるものと認識され、発光輝度の補正が行われない。一方、Ｌmax／Ｌmin＞Ｒ0の関係が成立する場合には、規格化輝度の最小値Ｌminの値の大小に応じて、下記第１〜第３補正処理のうちの何れか１つの補正処理が選択的に実行される。
【０１０７】
具体的には、規格化輝度の最小値Ｌminが第１閾値Ｓ1以上である場合には、第１補正処理が実行される。また、規格化輝度の最小値Ｌminが第１閾値Ｓ1未満であり且つ第２閾値Ｓ2以上である場合には、第２補正処理が実行される。更に、規格化輝度の最小値Ｌminが第２閾値Ｓ2未満である場合には、第３補正処理が実行される。なお、第１閾値Ｓ1としては、例えば０．７５等が挙げられ、第２閾値Ｓ2としては、例えば０．６等が挙げられる。この第１および第２閾値Ｓ1，Ｓ2については、有機発光ダイオードＯＬＥＤの特性、および画像表示装置１の使用目的等に応じて適宜ユーザーによって設定可能としても良い。
【０１０８】
＜(1-5-2-1)第１補正処理＞
規格化輝度の最小値Ｌminの値が第１閾値Ｓ1以上である場合には、表示部４の全体として、有機発光ダイオードＯＬＥＤの劣化が軽度であるため、表示部４の画面全体として高輝度を得ることを優先とした第１補正処理が行われる。以下、第１補正処理の具体的な内容について説明する。
【０１０９】
表示部４では、基準電流が流れる際に駆動電圧ＶREALが最小となる有機発光ダイオードＯＬＥＤが、最も劣化していない。このため、この有機発光ダイオードＯＬＥＤの規格化輝度の値、すなわち規格化輝度の最大値Ｌmaxが、基準値決定部２２によって補正の基準値ＴＨSとして決定される。そして、補正値設定部２３によって、各有機発光ダイオードＯＬＥＤについて、規格化輝度Ｌ／Ｌ0を最大値Ｌmaxに一致させる値に基づいて求まる補正係数ＣVが補正値として設定される。
【０１１０】
ここで、仮に、各有機発光ダイオードＯＬＥＤについて、規格化輝度Ｌ／Ｌ0を最大値Ｌmaxに一致させるための補正値を単純に補正係数ＣVとして設定すると、規格化輝度の最大値Ｌmaxと最小値Ｌminとの比（Ｌmax／Ｌmin）が補正係数ＣVの最大値となる。しかしながら、各画素回路４１に対応する画像信号が示す階調（輝度レベル）が、所定数のビットで表される場合には、各画素回路４１に対応する画像信号が示す階調に、発光輝度を補正するための補正係数が単に乗じられると、画像信号が示す階調が上限値を超える。すなわち、輝度レベルのオーバーフローが生じてしまう。例えば、画像信号が示す階調が、８ビットで表される場合には、階調は、例えば０〜２５５の２５６段階で示される。そして、上限値である２５５およびその近傍の数値に発光輝度を補正するための補正係数が単に乗じられると、上限値である２５５を超える値になる。そして、階調が２５５を超える値が多く発生すると、高輝度のコントラストが表現されない白飛びと言われる不具合が発生する。したがって、画質を維持するために、輝度レベルのオーバーフローを避ける必要がある。
【０１１１】
そこで、画像を構成する最も明るい画素において輝度レベルのオーバーフローが生じないように、信号補正部２４において、入力画像信号ＳINが示す階調Ｙに対して、圧縮係数Ｚを乗じる圧縮演算が行われる。ここでは、圧縮係数Ｚは、規格化輝度の最小値Ｌminを、補正の基準値ＴＨSである最大値Ｌmaxで除した値（Ｌmin／Ｌmax）に設定される。例えば、入力画像信号ＳINが示す階調が、８ビットで表される場合には、最大階調である２５５については、圧縮係数Ｚが乗じられた階調（２５５×Ｚ＝２５５×Ｌmin／Ｌmax）が圧縮後の階調となる。
【０１１２】
なお、入力画像信号ＳINが示す階調に対して、圧縮係数Ｚを乗じる圧縮演算と、発光輝度を補正する補正係数を乗じる演算とは、別々に行われても良いが、圧縮係数Ｚが補正係数ＣVに含まれるような態様であっても良い。ここでは、圧縮係数Ｚが補正係数ＣVに含まれることで、入力画像信号ＳINが示す階調に対して補正係数ＣVが乗じられることで、圧縮演算と発光輝度の補正とが同時に行われるものとする。ここで、任意の規格化輝度の値をＬxとすると、圧縮係数Ｚが含まれる補正係数ＣVは、補正値設定部２３において、下式(１９)に従った演算によって算出される。
【０１１３】
ＣV＝（Ｌmax／Ｌx）×（Ｌmin／Ｌmax）＝（Ｌmin／Ｌx）  ・・・(１９)
【０１１４】
なお、例えば、第１閾値Ｓ1として０．８０未満の値が設定されている場合において、Ｌmin＝０．８０、Ｌmax＝０．９０である場合、画素回路４１ｃについては、補正係数ＣVのうち、発光輝度の補正に係る数値（Ｌmax／Ｌx）が１．１２５（＝０．９０／０．８０）となる。そして、入力画像信号ＳINの階調に対して圧縮演算に係る数値（Ｌmin／Ｌmax）を乗じて求まる値（階調）が１６０であるような条件では、信号補正部２４で補正された後の画像信号ＳCの階調は１８０となる。また、入力画像信号ＳINの階調に対して圧縮演算に係る数値（Ｌmin／Ｌmax）を乗じて求まる値（階調）が２００であるような条件では、信号補正部２４で補正された後の画像信号ＳCの階調は２２５となる。
【０１１５】
また、例えば、Ｌmax＝０．９０である場合、画素回路４１ｂについては、補正係数ＣVのうち、発光輝度の補正に係る数値（Ｌmax／Ｌx）が１．０５９（＝０．９０／０．８５）となる。そして、入力画像信号ＳINの階調に対して圧縮演算に係る数値（Ｌmin／Ｌmax）を乗じて求まる値（階調）が１６０であるような条件では、信号補正部２４で補正された後の画像信号ＳCの階調は１６９となる。また、入力画像信号ＳINの階調に対して圧縮演算に係る数値（Ｌmin／Ｌmax）を乗じて求まる値（階調）が２００であるような条件では、信号補正部２４で補正された後の画像信号ＳCの階調は２１２となる。
【０１１６】
このように、有機発光ダイオードＯＬＥＤの劣化の度合いが小さな場合に実行される第１補正処理では、劣化の程度が最も小さい有機発光ダイオードＯＬＥＤに合わせた発光輝度の補正が行われる。これにより、有機発光ダイオードＯＬＥＤによって生じる発光輝度の低下を補償することができ、表示画面における輝度ムラが抑制される。そして、有機発光ダイオードＯＬＥＤの劣化による輝度の低下が解消され、画質の向上が図られる。つまり、画質の向上に比重が置かれた輝度の補償が実現される。
【０１１７】
＜(1-5-2-2)第２補正処理＞
規格化輝度の最小値Ｌminの値が第１閾値Ｓ1未満であり且つ第２閾値Ｓ2以上である場合には、表示部４の全体として、有機発光ダイオードＯＬＥＤの劣化が中程度であるため、表示画面における輝度をある程度確保することと、表示部４の寿命を延長することとの両立を図る第２補正処理が行われる。以下、第２補正処理の具体的な内容について説明する。
【０１１８】
まず、基準値決定部２２によって、規格化輝度の最大値Ｌmaxと規格化輝度の最小値Ｌminの幾何平均値（√（Ｌmax×Ｌmin））が算出され、この幾何平均値（√（Ｌmax×Ｌmin））が補正の基準値ＴＨSとして決定される。そして、補正値設定部２３によって、各有機発光ダイオードＯＬＥＤについて、規格化輝度Ｌ／Ｌ0を幾何平均値（√（Ｌmax×Ｌmin））に一致させる値に基づいて求まる補正係数ＣVが補正値として設定される。
【０１１９】
ここで、仮に、各有機発光ダイオードＯＬＥＤについて、規格化輝度Ｌ／Ｌ0を幾何平均値（√（Ｌmax×Ｌmin））に一致させるための発光輝度を補正する値を単純に補正係数ＣVとすると、幾何平均値（√（Ｌmax×Ｌmin））と最小値Ｌminとの比（√（Ｌmax×Ｌmin）／Ｌmin）が補正係数ＣVの最大値となる。しかしながら、上述したように、各画素回路４１に対応する画像信号が示す階調（輝度レベル）が、所定数のビットで表される場合には、各画素回路４１に対応する画像信号が示す階調に、発光輝度を補正するための補正係数が単に乗じられると、画像信号が示す階調が上限値を超えて、輝度レベルのオーバーフローが生じてしまう。したがって、第２補正処理においても、画質を維持するために、輝度レベルのオーバーフローを避ける必要がある。
【０１２０】
そこで、画像を構成する最も明るい画素において輝度レベルのオーバーフローが生じないように、信号補正部２４において、入力画像信号ＳINが示す階調Ｙに対して、圧縮係数Ｚを乗じる圧縮演算が行われる。ここで、圧縮係数Ｚは、規格化輝度の最小値Ｌminを、補正の基準値ＴＨSである幾何平均値（√（Ｌmax×Ｌmin））で除した値（Ｌmin／√（Ｌmax×Ｌmin））となる。例えば、入力画像信号ＳINが示す階調が、８ビットで表される場合には、最大階調である２５５については、圧縮係数Ｚが乗じられた階調（２５５×Ｚ＝２５５×Ｌmin／√（Ｌmax×Ｌmin））が圧縮後の階調となる。
【０１２１】
なお、入力画像信号ＳINが示す階調に対して、圧縮係数Ｚを乗じる圧縮演算と、発光輝度を補正する補正係数を乗じる演算とは、別々に行われても良いが、圧縮係数Ｚが補正係数ＣVに含まれるような態様であっても良い。ここでは、圧縮係数Ｚが補正係数ＣVに含まれることで、入力画像信号ＳINが示す階調に対して補正係数ＣVが乗じられることで、圧縮演算と発光輝度の補正とが同時に行われるものとする。ここで、任意の規格化輝度の値をＬxとすると、圧縮係数Ｚが含まれる補正係数ＣVは、補正値設定部２３において、下式(２０)に従った演算によって算出される。
【０１２２】
ＣV＝（√（Ｌmax×Ｌmin）／Ｌx）×（Ｌmin／√（Ｌmax×Ｌmin））
＝（Ｌmin／Ｌx）  ・・・(２０)
【０１２３】
なお、例えば、第１閾値Ｓ1として０．６５を超える値が設定され、第２閾値Ｓ2として０．６５未満の値が設定されている場合において、Ｌmin＝０．６５、Ｌmax＝０．７５である場合、幾何平均値（√（Ｌmax×Ｌmin））は、０．６９８２となる。そして、画素回路４１ｄにおいては、入力画像信号ＳINの階調に対して圧縮演算に係る数値（Ｌmin／√（Ｌmax×Ｌmin））を乗じて求まる値（階調）が１６０であるような条件では、信号補正部２４で補正された後の画像信号ＳCの階調が１４９（≒１６０×０．６９８２／０．７５）となる。また、画素回路４１ｅにおいては、入力画像信号ＳINの階調に対して圧縮演算に係る数値（Ｌmin／√（Ｌmax×Ｌmin））を乗じて求まる値（階調）が１６０であるような条件では、信号補正部２４で補正された後の画像信号ＳCの階調は１６０（≒１６０×０．６９８２／０．７０）となる。また、画素回路４１ｆにおいては、入力画像信号ＳINの階調に対して圧縮演算に係る数値（Ｌmin／√（Ｌmax×Ｌmin））を乗じて求まる値（階調）が１６０であるような条件では、信号補正部２４で補正された後の画像信号ＳCの階調は１７２（≒１６０×０．６９８２／０．６５）となる。
【０１２４】
なお、基準値決定部２２、補正値設定部２３、および信号補正部２４において、幾何平均値（√（Ｌmax×Ｌmin））に係る平方根の計算が行われることで計算精度が低くなる場合には、幾何平均値（√（Ｌmax×Ｌmin））に代えて、規格化輝度の最大値Ｌmaxと規格化輝度の最小値Ｌminの算術平均値（（Ｌmax＋Ｌmin）／２）を用いるようにしても良い。但し、上式(２０)で示されるように、圧縮係数Ｚが加味された形で補正係数ＣVが設定される場合には、平方根の計算が不要となるため、幾何平均値と算術平均値の何れが用いられても実質的には差が生じない。
【０１２５】
このように、有機発光ダイオードＯＬＥＤの劣化が中程度の場合に実行される第２補正処理では、劣化の程度が中程度の有機発光ダイオードＯＬＥＤに合わせた発光輝度の補正が行われる。これにより、有機発光ダイオードＯＬＥＤによって生じる発光輝度の低下を補償することができ、表示画面における輝度ムラが抑制される。
【０１２６】
＜(1-5-2-3)第３補正処理＞
規格化輝度の最小値Ｌminの値が第２閾値Ｓ2未満である場合には、表示部４の全体として、有機発光ダイオードＯＬＥＤの劣化が重度であるため、画面全体として輝度を低減することで表示部４の寿命を延長することを優先とした第３補正処理が行われる。以下、第３補正処理の具体的な内容について説明する。
【０１２７】
表示部４では、基準電流が流れる際に駆動電圧ＶREALが最大となる有機発光ダイオードＯＬＥＤの劣化の程度が最も大きい。このため、この有機発光ダイオードＯＬＥＤの規格化輝度の値、すなわち規格化輝度の最小値Ｌminが、基準値決定部２２によって補正の基準値ＴＨSとして決定される。そして、補正値設定部２３によって、各有機発光ダイオードＯＬＥＤについて、規格化輝度Ｌ／Ｌ0を規格化輝度の最小値Ｌminに一致させるための値に基づいて求まる補正係数ＣVが補正値として設定される。
【０１２８】
ここで、仮に、各有機発光ダイオードＯＬＥＤについて、規格化輝度Ｌ／Ｌ0を規格化輝度の最小値Ｌminに一致させるような発光輝度を補正する値を単純に補正係数ＣVとすると、補正係数ＣVの最大値が１となる。しがたって、輝度レベルのオーバーフローの問題が生じない。このため、第３補正処理では、圧縮演算が不必要である。そこで、補正値設定部２３によって、各有機発光ダイオードＯＬＥＤについて、規格化輝度Ｌ／Ｌ0を規格化輝度の最小値Ｌminに一致させる補正係数ＣVが補正値として設定される。具体的には、任意の規格化輝度の値をＬxとすると、補正係数ＣVは、補正値設定部２３において、下式(２１)に従った演算によって算出される。
【０１２９】
ＣV＝（Ｌmin／Ｌx）  ・・・(２１)
【０１３０】
なお、例えば、第２閾値Ｓ2として０．５０を超える値が設定されている場合において、Ｌmin＝０．５０である場合、画素回路４１ｇについては、補正係数ＣVが０．８３３３（＝Ｌmin／Ｌx＝０．５０／０．６０）となる。そして、入力画像信号ＳINの階調が１６０であれば、信号補正部２４で補正された後の画像信号ＳCの階調は１３３となる。また、画素回路４１ｈについては、補正係数ＣVが０．９０９０（＝Ｌmin／Ｌx＝０．５０／０．５５）となる。そして、入力画像信号ＳINの階調が２００であれば、信号補正部２４で補正された後の画像信号ＳCの階調は１８２となる。
【０１３１】
このように、有機発光ダイオードＯＬＥＤの劣化の度合いが大きな場合に実行される第３補正処理では、劣化の程度が最も大きな有機発光ダイオードＯＬＥＤに合わせた発光輝度の補正が行われる。これにより、有機発光ダイオードＯＬＥＤにおける劣化の進行を抑制しつつ、表示画面における輝度ムラを精度良く抑制することができる。つまり、有機発光ダイオードＯＬＥＤの劣化の度合いが大きな場合には、劣化の進行の抑制にも配慮した発光輝度の補償が行われるため、画像表示装置１の寿命の延長と、表示画面における輝度ムラの抑制とを両立させることができる。
【０１３２】
＜(1-6)補正係数の設定動作フロー＞
図１１から図１５は、画像表示装置１における補正係数の設定動作フローを示すフローチャートである。本動作フローは、制御部２によって制御され、表示部４においてスクリーンセーバーが表示されるタイミング等といった特定のタイミングにおいて実行される。
【０１３３】
図１１のステップＳ１では、制御部２の制御により、各画素回路４１の有機発光ダイオードＯＬＥＤに流れる電流が基準電流に一致するように、有機発光ダイオードＯＬＥＤの駆動電圧がフィードバック制御などによって設定され、この状態における各有機発光ダイオードＯＬＥＤの駆動電圧ＶREALが電圧検出部６によって検出される。
【０１３４】
ステップＳ２では、予測発光輝度導出部２１により、各有機発光ダイオードＯＬＥＤについて、駆動電圧ＶREALと第２関数データ３２とに基づいて、駆動時間ｔが推定される。ここでは、駆動電圧ＶREALが、上式(２)，(３)のＶに代入されるような演算によって、各有機発光ダイオードＯＬＥＤについての駆動時間ｔが推定される。
【０１３５】
ステップＳ３では、予測発光輝度導出部２１により、各有機発光ダイオードＯＬＥＤについて、基準電流が流れる場合の規格化輝度Ｌ／Ｌ0が推定される。ここでは、第１関数データ３１を用いて、駆動電圧ＶREALと、ステップＳ２で推定された駆動時間ｔとが、上式(１)のＶとｔに代入されるような演算によって、各有機発光ダイオードＯＬＥＤについての規格化輝度Ｌ／Ｌ0が推定される。
【０１３６】
ステップＳ４では、基準値決定部２２により、ステップＳ３で推定された規格化輝度Ｌ／Ｌ0の最大値Ｌmaxと最小値Ｌminとの比（Ｌmax／Ｌmin）が、発光輝度のズレとして算出される。
【０１３７】
ステップＳ５では、基準値決定部２２により、Ｌmax／Ｌminの値が判定基準値Ｒ0以下であるか否かが判定される。ここで、Ｌmax／Ｌmin≦Ｒ0の関係が成立する場合には、発光輝度のズレが軽微であるものと認識され、発光輝度の補正の必要性がないため、本動作フローが終了される。一方、Ｌmax／Ｌmin≦Ｒ0の関係が成立しない場合には、発光輝度のズレがある程度以上のものであると認識され、発光輝度の補正が必要であるため、図１２のステップＳ１１に進む。
【０１３８】
ステップＳ１１では、基準値決定部２２により、規格化輝度の最小値Ｌminが第１閾値Ｓ1以上であるか否か判定される。ここで、規格化輝度の最小値Ｌminが第１閾値Ｓ1以上であれば、ステップＳ１２に進み、基準値決定部２２および補正値設定部２３によって図１３で示される第１補正処理が行われる。一方、規格化輝度の最小値Ｌminが第１閾値Ｓ1以上でなければ、ステップＳ１３に進む。
【０１３９】
ステップＳ１３では、基準値決定部２２により、規格化輝度の最小値Ｌminが第１閾値Ｓ1未満であり且つ第２閾値Ｓ2以上であるか否か判定される。ここで、規格化輝度の最小値Ｌminが第１閾値Ｓ1未満であり且つ第２閾値Ｓ2以上であれば、ステップＳ１４に進み、基準値決定部２２および補正値設定部２３によって図１４で示される第２補正処理が行われる。一方、規格化輝度の最小値Ｌminが第１閾値Ｓ1未満であり且つ第２閾値Ｓ2以上でなければ、ステップＳ１５に進む。なお、ステップＳ１５に進む場合には、規格化輝度の最小値Ｌminが第２閾値Ｓ2未満の場合となる。
【０１４０】
ステップＳ１５では、基準値決定部２２および補正値設定部２３によって図１５で示される第３補正処理が行われる。
【０１４１】
図１３のステップＳ１２１では、基準値決定部２２により、基準値ＴＨSが決定される。ここでは、ステップＳ３で推定された規格化輝度のうちの最大値Ｌmaxが、基準値ＴＨSとして決定される。
【０１４２】
ステップＳ１２２では、補正値設定部２３により、補正係数ＣVを設定する対象、すなわち補正の対象となる画素回路４１が指定される。なお、このステップＳ１２２が１回目の場合には、基準となるアドレスの画素回路４１が指定される。また、このステップＳ１２２では、ステップＳ１２４から戻ってくる度に、順次に次のアドレスの画素回路４１が指定される。
【０１４３】
ステップＳ１２３では、補正値設定部２３により、各有機発光ダイオードＯＬＥＤについて、補正係数ＣVが設定される。ここでは、上式(１９)で示されるように、各有機発光ダイオードＯＬＥＤについて、規格化輝度Ｌxを規格化輝度の最大値Ｌmaxに一致させるような係数（Ｌmax／Ｌx）と圧縮演算の係数Ｚ（Ｌmin／Ｌmax）とを乗じることで求められる補正係数ＣVが設定される。
【０１４４】
ステップＳ１２４では、補正値設定部２３により、全ての画素回路４１について補正係数ＣVが設定されたか否か判定される。ここで、全ての画素回路４１について補正係数ＣVが設定されていなければ、ステップＳ１２２に戻り、全ての画素回路４１について補正係数ＣVが設定されるまで、ステップＳ１２２〜Ｓ１２４の処理が繰り返される。そして、全ての画素回路４１について補正係数ＣVが設定されれば、本動作フローが終了される。
【０１４５】
図１４のステップＳ１４１では、基準値決定部２２により、基準値ＴＨSが決定される。ここでは、ステップＳ３で推定された規格化輝度の最大値Ｌmaxと最小値Ｌminの幾何平均値（√（Ｌmax×Ｌmin））が、基準値ＴＨSとして決定される。
【０１４６】
ステップＳ１４２では、補正値設定部２３により、補正係数ＣVを設定する対象、すなわち補正の対象となる画素回路４１が指定される。なお、このステップＳ１４２が１回目の場合には、基準となるアドレスの画素回路４１が指定される。また、このステップＳ１４２では、ステップＳ１４４から戻ってくる度に、順次に次のアドレスの画素回路４１が指定される。
【０１４７】
ステップＳ１４３では、補正値設定部２３により、各有機発光ダイオードＯＬＥＤについて、補正係数ＣVが設定される。ここでは、上式(２０)で示されるように、各有機発光ダイオードＯＬＥＤについて、規格化輝度Ｌxを規格化輝度の幾何平均値（√（Ｌmax×Ｌmin））に一致させるような係数（√（Ｌmax×Ｌmin）／Ｌx）と圧縮演算の係数Ｚ（Ｌmin／√（Ｌmax×Ｌmin））とを乗じることで求められる補正係数ＣVが設定される。
【０１４８】
ステップＳ１４４では、補正値設定部２３により、全ての画素回路４１について補正係数ＣVが設定されたか否か判定される。ここで、全ての画素回路４１について補正係数ＣVが設定されていなければ、ステップＳ１４２に戻り、全ての画素回路４１について補正係数ＣVが設定されるまで、ステップＳ１４２〜Ｓ１４４の処理が繰り返される。そして、全ての画素回路４１について補正係数ＣVが設定されれば、本動作フローが終了される。
【０１４９】
図１５のステップＳ１５１では、基準値決定部２２により、基準値ＴＨSが決定される。ここでは、ステップＳ３で推定された規格化輝度の最小値Ｌminが、基準値ＴＨSとして決定される。
【０１５０】
ステップＳ１５２では、補正値設定部２３により、補正係数ＣVを設定する対象、すなわち補正の対象となる画素回路４１が指定される。なお、このステップＳ１５２が１回目の場合には、基準となるアドレスの画素回路４１が指定される。また、このステップＳ１５２では、ステップＳ１５４から戻ってくる度に、順次に次のアドレスの画素回路４１が指定される。
【０１５１】
ステップＳ１５３では、補正値設定部２３により、各有機発光ダイオードＯＬＥＤについて、補正係数ＣVが設定される。ここでは、上式(２１)で示されるように、各有機発光ダイオードＯＬＥＤについて、規格化輝度Ｌxを規格化輝度の最小値Ｌminに一致させるような係数（Ｌmin／Ｌx）が補正係数ＣVとして設定される。
【０１５２】
ステップＳ１５４では、補正値設定部２３により、全ての画素回路４１について補正係数ＣVが設定されたか否か判定される。ここで、全ての画素回路４１について補正係数ＣVが設定されていなければ、ステップＳ１５２に戻り、全ての画素回路４１について補正係数ＣVが設定されるまで、ステップＳ１５２〜Ｓ１５４の処理が繰り返される。そして、全ての画素回路４１について補正係数ＣVが設定されれば、本動作フローが終了される。
【０１５３】
以上のように、第１実施形態に係る画像表示装置１では、基準電流が流れる際の実測結果から得られる有機発光ダイオードＯＬＥＤの両端に印加される駆動電圧Ｖと該有機発光ダイオードＯＬＥＤの規格化輝度Ｌ／Ｌ0との関係を示す第１および第２関数データ３１，３２が、予め記憶部３に格納される。その後、画像表示装置１の使用時の特定のタイミングにおいて、各有機発光ダイオードＯＬＥＤに基準電流が流れる際に該各有機発光ダイオードＯＬＥＤに印加される駆動電圧ＶREALが検出される。そして、劣化の状況に応じて、この駆動電圧ＶREALと、第１および第２関数データ３１，３２とに基づいて、各有機発光ダイオードＯＬＥＤに対する補正係数ＣVが設定される。その結果、発光素子の劣化によって生じる発光輝度の低下を容易かつ精度良く補償することができる。したがって、輝度計等の特別な構成を含まない簡易な構成で、表示画面における輝度ムラを容易に精度良く抑制することが可能となる。
【０１５４】
また、駆動電圧ＶREALと第２関数データ３２とに基づいて、各有機発光ダイオードＯＬＥＤの駆動時間ｔが推定される。このため、各有機発光ダイオードＯＬＥＤの駆動時間を計測するためのカウンタや、階調積算手段等といった特別な構成が不要である。
【０１５５】
また、第１〜３補正処理では、規格化輝度の最大値Ｌmaxおよび最小値Ｌminのうちの少なくとも一方の値に基づいて基準値ＴＨSが決定される。そして、各有機発光ダイオードＯＬＥＤについて推定される規格化輝度Ｌxを基準値ＴＨSに一致させる値に基づいて補正係数ＣVが設定される。つまり、全ての画素回路４１に対する統一基準として基準値ＴＨSが設定され、該統一基準に合わせて、全ての画素回路４１に対して補正係数ＣVが設定される。このような補正係数ＣVの設定により、表示画面における輝度ムラが精度良く抑制される。
【０１５６】
また、補正係数ＣVを設定する動作が、表示部４にスクリーンセーバーが表示されるタイミング等といった特定のタイミングにおいて実行される。このため、ユーザーが表示部４に表示中の画像を視認している際に、補正係数ＣVを設定するために各有機発光ダイオードＯＬＥＤに基準電流が流れてしまうような不具合が生じない。したがって、ユーザーによる画像の視認が阻害されず、表示画面における輝度ムラが精度良く抑制される。
【０１５７】
＜(2)第２実施形態＞
上記第１実施形態に係る画像表示装置１では、有機発光ダイオードＯＬＥＤに基準電流を流した際における駆動電圧Ｖと駆動時間ｔとの関係が上式(２)，(３)のような関数で精度良く近似的に示すことが可能な例を挙げて説明した。しかしながら、有機発光ダイオードＯＬＥＤの構成によっては、有機発光ダイオードＯＬＥＤに基準電流を流した際における駆動電圧Ｖと駆動時間ｔとの関係が関数で精度良く近似的に示すことができない場合もある。このような有機発光ダイオードＯＬＥＤを採用する場合であっても、第２実施形態に係る画像表示装置１Ａでは、簡易な構成で、表示画面における輝度ムラを容易に精度良く抑制することができるように構成されている。
【０１５８】
なお、第２実施形態に係る画像表示装置１Ａは、第１実施形態に係る画像表示装置１と比較して、表示部４が表示部４Ａに変更されるとともに、制御部２が、実現される機能が異なる制御部２Ａに変更されたものである。具体的には、第２実施形態に係る表示部４Ａについては、第１実施形態に係る表示部４と比較して、画素回路４１が有機発光ダイオードＯＬＥＤの構成を異ならせた画素回路４１Ａに変更されたものとなっている。第２実施形態に係る制御部２Ａについては、第１実施形態に係る制御部２と比較して、予測発光輝度導出部２１が異なる演算処理を行う予測発光輝度導出部２１Ａに変更されるとともに、階調積算部２６Ａが追加されたものとなっている。また、第２実施形態に係る記憶部３については、第１実施形態に係る記憶部３と比較して、記憶されるデータ内容が異なる。具体的には、第２実施形態に係る記憶部３では、第１および第２関数データ３１，３２の代わりに、階調基準積算データ３４Ａおよび第３関数データ３５Ａが記憶されるとともに、階調積算データ３６Ａが更に記憶される。
【０１５９】
このように、第２実施形態に係る画像表示装置１Ａは、第１実施形態に係る画像表示装置１の一部の構成を変更したものに相当する。このため、第２実施形態に係る画像表示装置１Ａの構成のうち、第１実施形態に係る画像表示装置１と同様な部分については同じ符号を付して説明を省略する。以下、第２実施形態に係る画像表示装置１Ａのうち、第１実施形態に係る画像表示装置１と異なる点について説明する。
【０１６０】
＜(2-1)発光素子の劣化の態様＞
第２実施形態に係る画素回路４１Ａの一具体例として、赤色の光を発する有機発光ダイオードＯＬＥＤの劣化の態様について説明する。
【０１６１】
ここで、赤色の光を発する有機発光ダイオードＯＬＥＤの構成のうち、第１実施形態に係る有機発光ダイオードＯＬＥＤと異なる構成について説明する。ここでは、正孔輸送層が、厚さ５４ｎｍの蒸着層とされ、発光層が、厚さ２５ｎｍの共蒸着膜とされるとともに、該発光層におけるドーパント材料の濃度が、２．０％とされる。また、電子輸送層が、厚さ４５ｎｍの蒸着層とされ、第２電極層が、厚さ２５ｎｍのマグネシウムと銀からなる共蒸着層とされる。また、有機質保護層が、厚さ７０ｎｍの芳香族アミン誘導体からなる蒸着層とされる。更に、有機質保護層の上には、窒化ケイ素からなる厚さ１．０μｍの無機質保護層がＣＶＤによって形成される。
【０１６２】
なお、有機発光ダイオードＯＬＥＤの劣化の態様を観測する条件については、第１実施形態と同様な方法が採用される。そして、有機発光ダイオードＯＬＥＤが定電流駆動回路に接続され、有機発光ダイオードＯＬＥＤを流れる電流密度が１０ｍＡ／ｃｍ2となるように、３．６ｍＡの一定電流が流れるように設定した。有機発光ダイオードＯＬＥＤが発光し始めた際（駆動開始時）の発光輝度（初期発光輝度）Ｌ0は１０１２ｃｄ／ｍ2であったが、発光開始から２８３８時間経過後には、発光輝度は初期発光輝度Ｌ0の約８９．１％の値まで低下した。なお、測定時における有機発光ダイオードＯＬＥＤの周囲の温度については、自動測定の結果、測定期間中における平均温度が２４．０℃、最低温度が２３．５℃、最高温度が２６．０℃であった。そして、最低温度と最高温度の間に位置する第１四分位数の温度が２４．０℃、第３四分位数の温度が２４．０℃であった。このため、測定期間における半数以上の温度の測定値が、第１四分位数と第３四分位数の範囲内に含まれるので、標準的な室内環境に近い条件で観測を行ったことになる。
【０１６３】
このような測定条件における測定結果に基づいて、各時点における発光輝度Ｌを初期発光輝度Ｌ0で除した値（Ｌ／Ｌ0）を規格化輝度として算出した。発光開始から経過した時間（駆動時間）ｔと規格化輝度Ｌ／Ｌ0との関係は、図１６で示されるようなものとなった。また、駆動時間ｔと駆動電圧Ｖとの関係は、図１７で示されるようなものとなった。図１６で示されるように、駆動時間ｔの経過に対して、規格化輝度Ｌ／Ｌ0が小刻みに波打つような変動を示した。また、図１７で示されるように、駆動時間ｔの経過に対して、駆動電圧Ｖが激しく波打つような変動を示した。
【０１６４】
＜(2-2)輝度ムラの抑制処理に係る構成＞
図１８で示されるように、制御部２Ａは、第１実施形態に係る制御部２と異なり、輝度ムラの抑制処理に係る機能的な構成として、予測発光輝度導出部２１Ａ、および階調積算部２６Ａを有する。また、記憶部３は、第１実施形態とは異なり、輝度ムラの抑制処理に係るデータとして、階調基準積算データ３４Ａ、第３関数データ３５Ａ、および階調積算データ３６Ａを格納する。
【０１６５】
階調基準積算データ３４Ａは、有機発光ダイオードＯＬＥＤに対応する画像信号の基準となる輝度データ（基準階調）が、有機発光ダイオードＯＬＥＤの基準となる発光態様に応じて積算されることで求まる値（基準積算値）ＩSTを示すデータを含む。ここでは、有機発光ダイオードＯＬＥＤの基準となる発光態様は、基準時間（ここでは１時間）における発光であり、基準階調が、基準時間（ここでは１時間）における発光回数分、積算されることで基準積算値ＩSTが求まる。例えば、画像表示装置１Ａで毎秒６０フレームが表示され、入力画像信号が示す階調が８ビットで表されて、階調が０〜２５５の２５６段階で示されるものとし、基準階調が２５５であるものとすると、基準積算値ＩSTは、下式(２２)で求められる。
【０１６６】
ＩST＝３６００×６０×２５５＝５５０８００００  ・・・・(２２)
【０１６７】
第３関数データ３５Ａは、図１６で示されるような駆動時間ｔと規格化輝度Ｌ／Ｌ0との関係を、駆動電圧Ｖを加味して近似的に示す関数のデータである。つまり、本実施形態では、第３関数データ３５Ａが、有機発光ダイオードＯＬＥＤに基準電流が流れる際に該有機発光ダイオードＯＬＥＤの両端に印加される駆動電圧Ｖと、該有機発光ダイオードＯＬＥＤの駆動時間ｔと、該有機発光ダイオードＯＬＥＤの発光輝度に係る値（ここでは、規格化輝度Ｌ／Ｌ0）との関係を示す基準関係データに相当する。
【０１６８】
階調積算データ３６Ａは、信号補正部２４から出力される画像信号ＳCが示す階調が、有機発光ダイオードＯＬＥＤの発光態様に応じて積算されることで求まる値（階調実積算値）ＩLTを示すデータが、画素回路４１Ａ毎に格納されたものである。ここでは、有機発光ダイオードＯＬＥＤの発光態様は、任意の時間における発光であり、信号補正部２４から出力される画像信号ＳCが示す階調が、有機発光ダイオードＯＬＥＤの発光回数分、積算されることで階調実積算値ＩLTが求まる。
【０１６９】
積算部としての階調積算部２６Ａは、各有機発光ダイオードＯＬＥＤについて、信号補正部２４から出力される画像信号ＳCが示す階調を、有機発光ダイオードＯＬＥＤの発光態様に応じて積算することで、階調実積算値ＩLTを導出する。ここでは、信号補正部２４から出力される画像信号ＳCが示す階調が、該階調に応じて有機発光ダイオードＯＬＥＤが発光する回数（発光回数）分、積算されることで、階調実積算値ＩLTが導出される。ここで導出される階調実積算値ＩLTは、記憶部３において、有機発光ダイオードＯＬＥＤ毎に記憶される。
【０１７０】
予測発光輝度導出部２１Ａは、第３関数データ３５Ａと、階調実積算値ＩLTと、基準積算値ＩSTと、基準電流が有機発光ダイオードＯＬＥＤに流れる際の駆動電圧ＶREALとに基づいて、各有機発光ダイオードＯＬＥＤにおける予測発光輝度に係る値（ここでは、規格化輝度Ｌ／Ｌ0）を導出する。
【０１７１】
＜(2-3)輝度ムラの抑制処理方法＞
＜(2-3-1)データの事前準備＞
有機発光ダイオードＯＬＥＤに基準電流を流した際の駆動電圧と発光輝度とを予め測定することで、図１６および図１７で示されるような実測結果を得る。ここで、図１６で示されたような駆動時間ｔと規格化輝度Ｌ／Ｌ0との関係を示す曲線については、駆動時間ｔのみを変数とする関数では近似的に表すことができない。このため、規格化輝度Ｌ／Ｌ0を、駆動時間ｔと駆動電圧Ｖとを用いて表す関数を求める。そして、画像表示装置１Ａの出荷前に、規格化輝度Ｌ／Ｌ0を駆動時間ｔと駆動電圧Ｖとを用いて表す関数のデータを第３関数データ３５Ａとして記憶部３に記憶する。
【０１７２】
例えば、図１６および図１７で示された実測結果に基づいて、該実測結果を近似的な数式で表される関数で表現することを想定する。ここで、有機発光ダイオードＯＬＥＤの駆動開始時点（駆動時間ｔ＝０ｈ）における駆動電圧を定数Ｖ0とすると、規格化輝度Ｌ／Ｌ0は、下式(２３)で示されるように、駆動電圧Ｖと駆動時間ｔとを用いて表すことができる。実測結果から該実測結果を近似的に示す関数を求める手法としては、例えば、実測値を用いて、規格化輝度Ｌ／Ｌ0が線形的に変化する部分の傾き、および規格化輝度Ｌ／Ｌ0の変化を示す指数関数の係数等を順次に算出するような公知の種々の手法を採用すれば良い。なお、下式（２３）は、上式（１）を求める手順と同様にして求めることができる。
【０１７３】
【数３】
2010237528.tif 000005
【０１７４】
上式(２３)で示される関数は、図１９で示されるような駆動時間ｔに対する規格化輝度Ｌ／Ｌ0の関係を示すものである。そして、上式(２３)の値と実測値との誤差を算出すると、誤差の平均は、−０．０００９８と極めて小さい。なお、ここでは、上式(２３)の関数を示すデータが、第３関数データ３５Ａに相当する。
【０１７５】
一方、図１７で示される駆動電圧Ｖと駆動時間ｔとの関係については、駆動時間ｔの経過に対して、駆動電圧Ｖが激しく波打つような変動を示す。このため、駆動電圧Ｖを駆動時間ｔを変数とする関数で精度良く近似的に表すことが難しい。このため、階調実積算値ＩLTを用いて、駆動時間ｔを推定することを目的として、予め基準積算値ＩSTを算出しておき、階調基準積算データ３４Ａとして記憶部３に記憶する。
【０１７６】
＜(2-3-2)駆動時間の推定方法＞
ここでは、画像信号の階調が０〜２５５の２５６段階の値で表されるものとして説明する。まず、画像信号の階調を最大値の２５５として有機発光ダイオードＯＬＥＤを駆動させた場合に、有機発光ダイオードＯＬＥＤに基準電流が流れて該有機発光ダイオードＯＬＥＤが発光し、その際に図１６および図１７で示される実測値が得られるものとする。
【０１７７】
ここで、例えば、有機発光ダイオードＯＬＥＤが、階調の平均値が１２７である画像信号ＳCに基づいて１時間発光した場合を想定する。このとき、階調の平均値１２７と発光回数（６０×３６００）との積（６０×３６００×１２７＝２７４３２０００）が、階調実積算値ＩLTとなる。そして、上式(２２)で示されたように、１時間に係る基準積算値ＩSTは５５０８００００である。そこで、階調実積算値ＩLTを基準積算値ＩSTで除した値（０．４９８０４≒２７４３２０００／５５０８００００）が、最大階調２５５に従って有機発光ダイオードＯＬＥＤを発光させた場合に換算した発光時間に相当する。このため、本実施形態では、階調実積算値ＩLTを基準積算値ＩSTで除することで、有機発光ダイオードＯＬＥＤにおいて基準電流が流れて発光した駆動時間ｔが推定される。
【０１７８】
例えば、有機発光ダイオードＯＬＥＤが、階調の平均値が６４である画像信号ＳCに基づいて１０００時間発光した場合を想定する。このとき、階調の平均値６４と発光回数（６０×３６００×１０００）との積（６０×３６００×１０００×６４＝１３８２４０００００）が、階調実積算値ＩLTとなる。そして、階調実積算値ＩLTを基準積算値ＩSTで除した値（２５０．９８０≒１３８２４０００００／５５０８００００）が、駆動時間ｔとして算出される。
【０１７９】
ここでは、信号補正部２４から出力される画像信号ＳCの階調を平均値で表して説明したが、実際には、有機発光ダイオードＯＬＥＤ毎に階調値が積算されることで、階調実積算値ＩLTが算出されれば良い。
【０１８０】
＜(2-3-3)使用時における発光輝度の補正方法＞
画像表示装置１Ａでは、上述したように、使用時間の経過とともに各色の有機発光ダイオードＯＬＥＤが劣化する。このため、階調基準積算データ３４Ａ、第３関数データ３５Ａ、および階調積算データ３６Ａを用いた補正係数ＣVの設定および更新が適時行われる。これにより、有機発光ダイオードＯＬＥＤの発光輝度の補正が行われ、表示画面における輝度ムラが精度良く抑制される。以下、画像表示装置１Ａの使用時における発光輝度の補正方法について説明する。なお、ここでは、赤色の有機発光ダイオードＯＬＥＤについての発光輝度の補正方法を例示しつつ説明する。
【０１８１】
階調積算部２６Ａによって信号補正部２４から出力される画像信号ＳCの階調が順次に積算されて階調実積算値ＩLTが算出される。この階調実積算値ＩLTは、記憶部３の階調積算データ３６Ａにおいて有機発光ダイオードＯＬＥＤ毎に記憶される。つまり、階調積算データ３６Ａに含まれる有機発光ダイオードＯＬＥＤ毎の階調実積算値ＩLTが、１フレームの入力画像信号ＳINが入力される度に更新される。
【０１８２】
これと並行して、表示部４Ａにスクリーンセーバーが表示されるタイミング等といった特定のタイミングにおいて、制御部２Ａによって電源回路５が制御されることで、有機発光ダイオードＯＬＥＤを流れる電流密度が基準の電流密度である１０ｍＡ／ｃｍ2に設定される。そして、電圧検出部６によって各画素回路４１Ａの駆動電圧ＶREALが測定される。このとき、予測発光輝度導出部２１Ａにおいて、階調実積算値ＩLTが基準積算値ＩSTで除されることで、有機発光ダイオードＯＬＥＤの駆動時間ｔが推定される。そして、予測発光輝度導出部２１Ａにおいて、駆動電圧ＶREALと推定される駆動時間ｔとが、上式(２３)のＶおよびｔにそれぞれ代入されることで、各有機発光ダイオードＯＬＥＤについての規格化輝度Ｌ／Ｌ0が推定される。その後の処理については、第１実施形態と同様なものになるため、ここでは説明を省略する。
【０１８３】
＜(2-4)補正係数の設定動作フロー＞
図２０は、画像表示装置１Ａにおける補正係数の設定動作フローを示すフローチャートである。本動作フローは、制御部２Ａによって制御され、表示部４においてスクリーンセーバーが表示されるタイミング等といった特定のタイミングにおいて実行される。
【０１８４】
図２０のステップＳ２１では、図１１のステップＳ１と同様に、制御部２Ａの制御により、有機発光ダイオードＯＬＥＤに基準電流が流れている状態に各画素回路４１Ａが設定され、この状態における各有機発光ダイオードＯＬＥＤの駆動電圧ＶREALが電圧検出部６によって検出される。
【０１８５】
ステップＳ２２では、予測発光輝度導出部２１Ａにより、階調基準積算データ３４Ａと階調積算データ３６Ａとが参照されることで、基準積算値ＩSTと、各有機発光ダイオードＯＬＥＤの階調実積算値ＩLTとが認識される。
【０１８６】
ステップＳ２３では、予測発光輝度導出部２１Ａにより、階調実積算値ＩLTが基準積算値ＩSTで除されることで、各有機発光ダイオードＯＬＥＤの駆動時間ｔが推定される。
【０１８７】
ステップＳ２４では、予測発光輝度導出部２１Ａにより、各有機発光ダイオードＯＬＥＤについて、第３関数データ３５Ａと、ステップＳ２１で検出された駆動電圧ＶREALと、ステップＳ２３で推定された駆動時間ｔとに基づいて、基準電流が流れている場合の規格化輝度Ｌ／Ｌ0が推定される。ここでは、第３関数データ３５Ａが用いられて、ステップＳ２１で検出された駆動電圧ＶREALと、ステップＳ２３で推定された駆動時間ｔとが、上式(２３)のＶとｔに代入されるような演算によって、各有機発光ダイオードＯＬＥＤについての規格化輝度Ｌ／Ｌ0が推定される。
【０１８８】
ステップＳ２５では、図１１のステップＳ４と同様に、基準値決定部２２により、ステップＳ２４で推定された規格化輝度Ｌ／Ｌ0の最大値Ｌmaxと最小値Ｌminとの比（Ｌmax／Ｌmin）が、発光輝度のズレとして算出される。
【０１８９】
ステップＳ２６では、図１１のステップＳ５と同様に、基準値決定部２２により、Ｌmax／Ｌminの値が判定基準値Ｒ0以下であるか否かが判定される。ここで、Ｌmax／Ｌmin≦Ｒ0の関係が成立する場合には、発光輝度のズレが軽微であるものと認識され、発光輝度の補正の必要性がないため、本動作フローが終了される。一方、Ｌmax／Ｌmin≦Ｒ0の関係が成立しない場合には、発光輝度のズレがある程度以上のものであると認識され、発光輝度の補正が必要であるため、図１２のステップＳ１１に進む。
【０１９０】
なお、図１２のステップＳ１１以降の動作については、上述した第１実施形態の動作と同様であるため、ここでは説明を省略する。
【０１９１】
以上のように、第２実施形態に係る画像表示装置１Ａでは、基準階調が基準時間（ここでは１時間）における発光回数分、積算されることで求まる基準積算値ＩSTを準備しておく。その後、画像表示装置１Ａの使用時において、有機発光ダイオードＯＬＥＤ毎に、信号補正部２４から出力される画像信号ＳCが示す階調が順次に積算されて、階調実積算値ＩLTが算出される。この算出と並行して、特定のタイミングで、基準電流が流れる際の各有機発光ダイオードＯＬＥＤに係る駆動電圧ＶREALが検出されるとともに、階調実積算値ＩLTが基準積算値ＩSTで除されることで、各有機発光ダイオードＯＬＥＤの駆動時間ｔが推定される。そして、予め準備された第３関数データ３５Ａと、検出された駆動電圧ＶREALと、推定された駆動時間ｔとに基づいて、各有機発光ダイオードＯＬＥＤに係る規格化輝度Ｌ／Ｌ0が推定され、該規格化輝度Ｌ／Ｌ0に応じた補正係数ＣVが、各有機発光ダイオードＯＬＥＤに対して設定される。このような構成により、有機発光ダイオードＯＬＥＤの劣化による発光輝度の低下が時間の経過に対して波打つように不安定に進行するような場合であっても、表示画面における輝度ムラをより精度良く抑制することができる。
【０１９２】
＜(3)変形例＞
なお、本発明は上述の実施の形態に限定されるものではなく、本発明の要旨を逸脱しない範囲において種々の変更、改良等が可能である。
【０１９３】
◎例えば、上記第１および第２実施形態では、発光輝度のズレを示す指標としてのＬmax／Ｌminの値が、判定基準値Ｒ0と比較されることで、発光輝度の補正を実行するか否かが判定されたが、これに限られない。例えば、発光輝度のズレを示す指標として、Ｌmax−Ｌminの値が採用され、該Ｌmax−Ｌminの値が、判定基準値Ｒ0（例えば、Ｒ0＝０．０３）と比較されることで、発光輝度の補正をするか否かが判定されても良い。
【０１９４】
◎また、上記第１および第２実施形態では、スクリーンセーバーが表示されるタイミングにおいて、補正係数ＣVが設定されたが、これに限られない。例えば、有機発光ダイオードＯＬＥＤの累積発光時間が、一定時間（例えば、２０時間）に到達する度などといった特定のタイミングにおいて、補正係数ＣVの設定が行われても良い。また、人感センサなどを用いてユーザーの不在を検知したタイミングにおいて、補正係数ＣVが設定されても良い。また、有機発光ダイオードＯＬＥＤの累積発光時間が一定時間に到達した後にスクリーンセーバーが最初に表示されるタイミングにおいて、補正係数ＣVが設定されても良い。このような何れの構成であっても、画質の向上と維持とが図られる。
【０１９５】
◎また、上記第１および第２実施形態では、第１〜３補正処理を選択的に実行するための基準として用いられた第１および第２閾値Ｓ1，Ｓ2がそれぞれ０．７，０．６に設定されたが、これに限られない。例えば、駆動時間ｔの経過に対する規格化輝度Ｌ／Ｌ0の変化の度合いが大きく変わるポイントに合わせて、第１および第２閾値Ｓ1，Ｓ2の値がそれぞれ設定されても良い。
【０１９６】
◎また、上記第１および第２実施形態では、第１〜３補正処理において、予測発光輝度導出部２１，２１Ａによって導出される規格化輝度Ｌ／Ｌ0を基準値ＴＨSに一致させる値に基づいて補正係数ＣVが設定されるとは、規格化輝度Ｌ／Ｌ0を、基準値ＴＨSを中心とした所定の範囲（例えば、±１．５％以内の範囲）に入らせる値に基づいて補正係数ＣVが設定される場合も含まれる。すなわち、規格化輝度Ｌ／Ｌ0の最大値Ｌmaxと最小値Ｌminとの差が縮まるように各有機発光ダイオードＯＬＥＤに対して補正係数ＣVが設定されれば良い。
【０１９７】
◎また、上記第１および第２実施形態では、電源回路５を定電流駆動回路として機能させることで、各有機発光ダイオードＯＬＥＤは基準電流が流れる状態に設定されたが、これに限られない。例えば、有機発光ダイオードＯＬＥＤの両端に印加される駆動電圧と、抵抗Ｒ１に流れる電流とを検出しつつ、駆動電圧を徐々に変更して、抵抗Ｒ１に流れる電流が基準電流に一致する際の駆動電圧が検出されるようにしても良い。
【０１９８】
◎また、上記第２実施形態では、１フレームの表示開始から次の１フレームの表示開始までの期間（フレーム期間）を占める有機発光ダイオードＯＬＥＤの発光期間の割合を示すデューティ比が一定であることを前提として説明したが、これに限られない。例えば、表示部４Ａの温度変化に応じてデューティ比が変更される態様も考えられる。具体的には、表示部４Ａの温度が標準の温度範囲にある場合には、デューティ比が標準値である１２７／２５５に設定される。また、表示部４Ａの温度上昇に伴って有機発光ダイオードＯＬＥＤの発光輝度が上昇するような条件ではデューティ比が標準値から低減される。一方、表示部４Ａの温度低下に伴って有機発光ダイオードＯＬＥＤの発光輝度が低下するような条件ではデューティ比が標準値から上昇される。このようなデューティ比の制御により、表示部４Ａで表示される画像の明るさが入力画像信号に応じたものとなる。
【０１９９】
但し、このようなデューティ比の制御が行われる場合には、上述した基準積算値ＩSTおよび階調実積算値ＩLTの算出において、デューティ比の増減による影響分を反映させる必要がある。例えば、デューティ比が標準値である１２７／２５５に設定されている場合には、基準積算値ＩSTが、下式(２４)で算出される。この基準積算値ＩSTが、駆動時間ｔが１時間である場合の階調の積算値に相当する。
【０２００】
ＩST＝１２７／２５５×３６００×６０×２５５＝２７４３２０００  ・・・(２４)
【０２０１】
ここで、例えば、有機発光ダイオードＯＬＥＤが、階調の平均値が１２７である画像信号ＳCに基づいて１０００時間発光した場合を想定する。このとき、デューティ比が平均で１７０／２５５であれば、デューティ比の平均値（１７０／２５５）と階調の平均値１２７と発光回数（６０×３６００×１０００）との積（１７０／２５５×６０×３６００×１０００×１２７＝１８２８８００００００）が、階調実積算値ＩLTとなる。そして、階調実積算値ＩLTを基準積算値ＩSTで除した値（６６６．６６７≒１８２８８００００００／２７４３２０００）が、駆動時間ｔとして算出される。
【０２０２】
◎また、上記第２実施形態では、信号補正部２４から出力される画像信号ＳCの階調を積算することで算出される階調実積算値ＩLTを、基準積算値ＩSTで除することで、有機発光ダイオードＯＬＥＤの駆動時間ｔが推定されたが、これに限られない。例えば、有機発光ダイオードＯＬＥＤが発光する回数をカウントすることで、駆動時間ｔが推定されても良い。例えば、有機発光ダイオードＯＬＥＤが発光している際に、垂直同期信号に応じたパルス（フレームパルス）の数をカウンターを用いて積算する方法が考えられる。具体的には、信号補正部２４から出力される画像信号ＳCの階調が所定の閾値以上の値である場合に、フレームパルスの数をカウントし、このカウント数にフレーム期間およびデューティ比を適宜乗じることで、駆動時間ｔが推定される。なお、例えば、所定の閾値が、最大階調の５０％以上の階調の値に設定されることで、中間階調以上の画像信号に応じて有機発光ダイオードＯＬＥＤが発光した時間が求められる。
【０２０３】
◎また、上記第１および第２実施形態では、劣化の度合いに応じて第１〜３補正処理が選択的に行われたが、これに限られない。例えば、劣化の度合いに拘わらず、第１〜３補正処理のうちの何れか１つの補正処理が行われても良い。
【０２０４】
◎また、上記第１および第２実施形態では、有機発光ダイオードＯＬＥＤの発光輝度および予測発光輝度に係る値として、規格化輝度Ｌ／Ｌ0が採用されたが、これに限られない。例えば、発光輝度Ｌが初期発光輝度Ｌ0で除されて規格化されることなく、発光輝度Ｌがそのまま使用されて、各種演算が行われることで、補正係数ＣVの設定が行われても良い。
【０２０５】
◎また、上記第１および第２実施形態では、画素回路４１，４１Ａにおいて、発光時に高電位側となる方から、第１トランジスタＴDRおよび有機発光ダイオードＯＬＥＤが、この順番で配置されたが、これに限られない。例えば、発光時に高電位側となる方から、有機発光ダイオードＯＬＥＤおよび第１トランジスタＴDRが、この順番で配置されても良い。
【０２０６】
◎また、上記第１および第２実施形態では、複数の画素回路４１において、赤色の光を発する有機発光ダイオードＯＬＥＤ、緑色の光を発する有機発光ダイオードＯＬＥＤ、および青色の光を発する有機発光ダイオードＯＬＥＤが配置されたが、これに限られない。例えば、全ての画素回路４１に対して、白色の光を発する有機発光ダイオードＯＬＥＤと、所定の色の光を透過するカラーフィルターとが組み合わされたものが採用されても良い。このような組み合わせの第１の例としては、赤色、緑色、青色の光を透過する３色のカラーフィルターを設けることが考えられる。また、第２の例としては、赤色、緑色、青色の光を透過する３色のカラーフィルターと、全ての光を透過する部分の４種類の部分を設け、赤色、緑色、青色、白色の４色の画素によって画像を構成することが考えられる。このように白色の光を発する有機発光ダイオードＯＬＥＤを用いる実施形態のうち、上記第１実施形態の変形例では、記憶部３に記憶する第１および第２関数データ３１，３２を、赤、緑、青の各色の有機発光ダイオードＯＬＥＤに対して、図３および図４で示されるような実測結果に沿って設定する代わりに、白色の有機発光ダイオードＯＬＥＤについての関数データのみを記憶すればよいので、簡略な構成とすることができる。また、上記第２実施形態の変形例では、各色に対応する第３関数データ３５Ａを記憶する代わりに、白色の有機発光ダイオードＯＬＥＤについての関数データのみを記憶すればよいので、簡略な構成とすることができる。更に、異なる色の光を発する複数の種類の有機発光ダイオードＯＬＥＤを、蒸着マスクなどの非常に高い精度を要求する製造手段を用いて作り分ける必要が無いので、製造プロセスが簡単となり、コストを低減できる利点がある。
【０２０７】
◎また、上記第１および第２実施形態では、発光素子として有機発光ダイオードＯＬＥＤが採用されたが、これに限られず、例えば、無機材料によって構成される発光素子が採用されても良い。
【０２０８】
◎なお、上記第１および第２実施形態および上記変形例をそれぞれ構成する一部の構成が、矛盾しない範囲で適宜組み合わされても良い。
【符号の説明】
【０２０９】
１，１Ａ  画像表示装置
２，２Ａ  制御部
３  記憶部
４，４Ａ  表示部
５  電源回路
６  電圧検出部
２１，２１Ａ  予測発光輝度導出部
２２  基準値決定部
２３  補正値設定部
２４  信号補正部
２６Ａ  階調積算部
３１  第１関数データ
３２  第２関数データ
３３  補正値テーブル
３４Ａ  階調基準積算データ
３５Ａ  第３関数データ
３６Ａ  階調積算データ
４１，４１Ａ  画素回路
ＯＬＥＤ  有機発光ダイオード
Ｒ１  抵抗
【図１】
2010237528.tif 000006
【図２】
2010237528.tif 000007
【図３】
2010237528.tif 000008
【図４】
2010237528.tif 000009
【図５】
2010237528.tif 000010
【図６】
2010237528.tif 000011
【図７】
2010237528.tif 000012
【図８】
2010237528.tif 000013
【図９】
2010237528.tif 000014
【図１０】
2010237528.tif 000015
【図１１】
2010237528.tif 000016
【図１２】
2010237528.tif 000017
【図１３】
2010237528.tif 000018
【図１４】
2010237528.tif 000019
【図１５】
2010237528.tif 000020
【図１６】
2010237528.tif 000021
【図１７】
2010237528.tif 000022
【図１８】
2010237528.tif 000023
【図１９】
2010237528.tif 000024
【図２０】
2010237528.tif 000025